(57)【特許請求の範囲】
【請求項１】
取付物品本体と、
この取付物品本体の一方の側面から他方の側面に向けて貫通された、紐の結び目が入る結び目入り孔と、
この結び目入り孔に交差形態で連絡された、前記紐は通るが前記結び目は通らない結び目止め孔とからなることを特徴とする携帯ストラップ用取付物品。
【請求項２】
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
前記物品当接可能箇所側から前記結び目入り孔に交差形態で連絡されかつ前記正面部位には非貫通とされた、前記ストラップ本体を通しかつ前記結び目を通さない開口孔径の結び目止め孔とからなることを特徴とする携帯ストラップ用取付物品。
【請求項３】
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
この結び目入り孔を延長するようにあけられた、前記ストラップ本体を通しかつ前記結び目を通さない開口孔径の結び目止め孔と、
前記結び目止め孔から出た前記ストラップ本体を前記正面部位とは反対向きに折曲可能とするストラップ本体折曲開放部とからなることを特徴とする携帯ストラップ用取付物品。
【請求項４】
結び目入り孔が正面部位面に開口を有する溝形態であり、前記正面部位面が飾り部材に接着、融着、溶着、嵌合などによって接合する接合面であることを特徴とする請求項５、６のいずれか1項に記載の携帯ストラップ用取付物品。
【請求項５】
紐通し孔付き携帯品の紐通し孔に折られ合わせ状態で通されて、通し出された側に潜らせループを形成する紐からなるストラップ本体と、
一方の結び目が入る開口孔径の一方の結び目入り孔と、この一方の結び目入り孔に交差方向から連絡された前記一方の結び目が通らない開口孔径の一方の結び目止め孔とを有し、前記ストラップ本体が前記一方の結び目止め孔から前記一方の結び目入り孔に通され出た部位で前記一方の結び目が形成された形態で、前記ストラップ本体の一方側に取り付けられたないし非取り付け状態で該ストラップ本体と一緒に提供された、前記潜らせループに潜らせて前記紐通し孔付き携帯品側に取り付け可能とされた第１の携帯ストラップ用取付物品と、
他方の結び目が入る開口孔径の他方の結び目入り孔、この他方の結び目入り孔に連絡された前記他方の結び目が通らない開口孔径の他方の結び目止め孔とを有し、前記ストラップ本体が通され前記他方の結び目が形成された形態で、前記ストラップ本体の他方側に取り付けられたないし非取り付け状態で該ストラップ本体と一緒に提供された第２の携帯ストラップ用取付物品とからなるとともに、
前記一方の結び目入り孔および前記一方の結び目止め孔に通されかつ前記一方の結び目で抜けないように、前記ストラップ本体の一方を前記第１の携帯ストラップ用取付物品に取り付けた状態で、前記ストラップ本体の一方を切断し、前記一方の結び目入り孔内にある前記一方の結び目を取り出し、前記ストラップ本体の前記切断した部位を記一方の結び目止め孔から前記一方の結び目入り孔に通し出して一方の出した部分を形成し、この一方の出した部分に前記一方の結び目を形成して、前記一方の結び目止め孔側の前記ストラップ本体を引いて前記一方の結び目を前記一方の結び目入り孔に引き込み入れて、前記第１の携帯ストラップ用取付物品を前記ストラップ本体に再取り付けができることを可能とし、
前記他方の結び目入り孔および前記他方の結び目止め孔に通されかつ前記他方の結び目で抜けないように、前記ストラップ本体の他方を前記第２の携帯ストラップ用取付物品に取り付けた状態で、前記ストラップ本体の他方を切断し、前記他方の結び目入り孔内にある前記他方の結び目を取り出し、前記ストラップ本体の前記切断した部位を記他方の結び目止め孔から前記他方の結び目入り孔に通し出して他方の出した部分を形成し、この他方の出した部分に前記他方の結び目を形成して、前記他方の結び目止め孔側の前記ストラップ本体を引いて前記他方の結び目を前記他方の結び目入り孔に引き込み入れて、前記第２の携帯ストラップ用取付物品を前記ストラップ本体に再取り付けができることを可能としてなることを特徴とする携帯ストラップ。
【発明の詳細な説明】
【技術分野】
【０００１】
本発明は、主にストラップの構成部分である紐であるストラップ本体を通す紐通し取り付け孔を有するスマートホン、携帯電話、携帯デジタルカメラ、携帯音楽プレイヤー、財布、携帯電話ケース、スマートホンケースなどの紐通し孔付き携帯品に取り付ける携帯ストラップに係り、その携帯ストラップ用取付物品並びに携帯ストラップ関する。
【背景技術】
【０００２】
従来、紐通し孔を有する携帯電話などの該紐通し孔に細紐（ストラップ本体）を通し取り付ける形態のストラップであって、非ループの０．８ｍｍ程の細紐の一方の端に飾り物品を設けて、他方の端に前記紐通し孔を通らない形態である潜らせストッパーを設け、携帯電話などの紐通し孔に細紐を二つ下りにして通し、紐通し孔を通り抜けた部位を広げて潜らせループを形成し、この潜らせループに潜らせストッパーを潜らせた状態で該潜らせループを絞め縮小させて、細紐（ストラップ本体）部位を携帯電話などの携帯品に取り付ける携帯ストラップが知られている。（例えば、特許文献1、特許文献２）
【先行技術文献】
【特許文献】
【０００３】
【特許文献１】特許第4276289号公報（図１０、図１１）
【特許文献２】特許第4453932号（図１０〜図１２）
【非特許文献】
【０００４】
【非特許文献１】特になし
【発明の概要】
【発明が解決しようとする課題】
【０００５】
（１）上述した従来技術は、飾り物品にしても、潜らせストッパーにしても１．２ｍｍ以下の細紐（ストラップ本体）へのその取付形態は、特別な工具や部品がなければ携帯品の使用者が簡単容易に交換したり、細紐（ストラップ本体）の長さを簡単容易に変更したりでき難いものであったし、飾り物品あるいは潜らせストッパーを他の飾り物品あるは他の潜らせストッパーと組み合わせたストラップを形成することも特別な工具や部品がなければ携帯品の使用者が簡単容易にはでき難いものであった。
また、携帯電話などの紐通し孔の大きさが３ｍｍ×４ｍｍ程度であり、かつ、曲がっているために、従来技術では細紐（ストラップ本体）を折り合わせた２通し形態での通しとなるので、紐の太さが１．３ｍｍ以下でないと通らず、よって、より太く丈夫な２ｍｍ以上（上限２．５ｍｍ程度）の細紐（ストラップ本体）の使用ができないものであった。
（２）また、上述した従来技術は、主に非ループ形態の一本の紐、該一本の紐の先端に紐通し孔付き携帯品の紐通し取り付け孔を通らない形態の携帯ストラップ用取付物品（潜らせストパー）を設け、ストラップを紐通し孔付き携帯品の紐通し取り付け孔に二つ折り状態で通して、通り抜けた側の部位を広げて潜らせループを形成し、この潜らせループに携帯ストラップ用取付物品を潜らせ、潜らせループを絞め、携帯ストラップ用取付物品が紐通し孔付き携帯品に密着あるいは当接した状態となった取付状態（以下「携帯ストラップ用取付物品潜らせ取り付け形態」という）を実現するという、すなわち、ストラップに使用した場合、結び目入り孔が正面を向いた取り付け形態となって、結び目入り孔の開口およびその中の結び目色が露骨に見えてしまい、美観的に違和感のある取り付けになってしまうという欠点があった。
また、正面に孔開口が位置するので、紐通し孔付き携帯品のアクセント的な美感機能を有する携帯ストラップ用取付物品の表現が孔開口によって邪魔されるという欠点を有するものであった。
また、ストラップ本体（紐）紐通し孔付き携帯品側の部位に擦り切れなどの切断予兆部が生じても、そのまま使用し続けなければならないために使用し続け、結果完全に切断していまい、使用できないものになってしまうという欠点を有するものであった。この欠点は、ストラップ本体をループ紐形態としたストラップについても同様のことが言えるものである。
また、ストラップ本体の他方（他方側）に設けたマスコット人形、宝飾品などと、携帯電話との距離を簡単にはできないという欠点を有するものであった。
【０００６】
本発明は以上のような従来技術の欠点に鑑み、主に携帯電話、スマートホンなどの携帯電子機器、該携帯電子機器の携帯ケースなどの携帯品で、ストラップ本体を通して取り付けるための紐通し孔を有する紐通し孔付き携帯品にストラップを取り付ける紐通し孔付き携帯品へのストラップの取付方法において、携帯ストラップの使用者が身近にある鋏、爪切り、カッターなどの切断手段と使用者自信の極めて簡単容易な手作業とによって、ストラップ本体の長さを好みの長さにすることを可能とし、前記切断手段と別体のストラップ本体があればストラップの飾りや潜らせストッパーを多様な他の飾りや潜らせストッパーと組み合わせて、異なるストラップを形成してストラップを形成しながら取り付けることを簡単容易にできことを可能とする携帯ストラップ用取付物品並びに携帯ストラップを提供することを第１の目的としている。
また、本発明は、上記第１の目的を実現するとともに、紐通し孔付き携帯品に当接状態にあって、看者に向くその正面が紐通し孔の無いことで見た目に違和感の無い形態の携帯ストラップ用取付物品を提供することを目的としている。 
【課題を解決するための手段】
【０００７】
上記目的を達成するために、本発明は次のような構成としている。
＜請求項１記載の発明＞
取付物品本体と、
この取付物品本体の一方の側面から他方の側面に向けて貫通された、紐の結び目が入る結び目入り孔と、
この結び目入り孔に交差形態で連絡された、前記紐は通るが前記結び目は通らない結び目止め孔とからなることを特徴とする携帯ストラップ用取付物品である。
＜請求項２に記載の発明＞
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
前記物品当接可能箇所側から前記結び目入り孔に交差形態で連絡されかつ前記正面部位には非貫通とされた、前記ストラップ本体を通しかつ前記結び目を通さない開口孔径の結び目止め孔とからなることを特徴とする携帯ストラップ用取付物品である。
すなわち、結び目入り孔、結び目止め孔を通されたストラップ本体の結び目入り孔側の先端に結び目を作り、結び目止め孔からストラップ本体を引っ張って結び目を結び目入り孔に引き込む。結び目は結び目止め孔部位で止まり取り付けは完了する。
「紐通し孔付き携帯品に当接可能箇所である物品当接可能箇所」には、直接当接する形態、ストラップ本体を間に挟んで当接する形態をその技術的範疇に含むものである。
「結び目入り孔」、「結び目止め孔」の形態には溝形態もその技術的範疇に含むものである。
「ストラップ本体」には、組紐、釣り糸などに使用されるテグス、合成樹脂製紐、ゴム製紐、編組編み紐など多様なものがある。
＜請求項３に記載の発明＞
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
この結び目入り孔を延長するようにあけられた、前記ストラップ本体を通しかつ前記結び目を通さない開口孔径の結び目止め孔と、
前記結び目止め孔から出た前記ストラップ本体を前記正面部位とは反対向きに折曲可能とするストラップ本体折曲開放部とからなることを特徴とする携帯ストラップ用取付物品である。
すなわち、結び目入り孔、結び目止め孔を通されたストラップ本体の結び目入り孔側の先端に結び目を作り、結び止め孔側ないしストラップ本体折曲開放部側からストラップ本体を引っ張って結び目を結び目入り孔に引き込む。結び目は結び目止め孔部位で止まり取り付けは完了する。
＜請求項４に記載の発明＞
結び目入り孔が正面部位面に開口を有する溝形態であり、前記正面部位面が飾り部材に接着、融着、溶着、嵌合などによって接合する接合面であることを特徴とする請求項５、６のいずれか1項に記載の携帯ストラップ用取付物品である。
＜請求項５に記載の発明＞
紐通し孔付き携帯品の紐通し孔に折られ合わせ状態で通されて、通し出された側に潜らせループを形成する紐からなるストラップ本体と、
一方の結び目が入る開口孔径の一方の結び目入り孔と、この一方の結び目入り孔に交差方向から連絡された前記一方の結び目が通らない開口孔径の一方の結び目止め孔とを有し、前記ストラップ本体が前記一方の結び目止め孔から前記一方の結び目入り孔に通され出た部位で前記一方の結び目が形成された形態で、前記ストラップ本体の一方側に取り付けられたないし非取り付け状態で該ストラップ本体と一緒に提供された、前記潜らせループに潜らせて前記紐通し孔付き携帯品側に取り付け可能とされた第１の携帯ストラップ用取付物品と、
他方の結び目が入る開口孔径の他方の結び目入り孔、この他方の結び目入り孔に連絡された前記他方の結び目が通らない開口孔径の他方の結び目止め孔とを有し、前記ストラップ本体が通され前記他方の結び目が形成された形態で、前記ストラップ本体の他方側に取り付けられたないし非取り付け状態で該ストラップ本体と一緒に提供された第２の携帯ストラップ用取付物品とからなるとともに、
前記一方の結び目入り孔および前記一方の結び目止め孔に通されかつ前記一方の結び目で抜けないように、前記ストラップ本体の一方を前記第１の携帯ストラップ用取付物品に取り付けた状態で、前記ストラップ本体の一方を切断し、前記一方の結び目入り孔内にある前記一方の結び目を取り出し、前記ストラップ本体の前記切断した部位を記一方の結び目止め孔から前記一方の結び目入り孔に通し出して一方の出した部分を形成し、この一方の出した部分に前記一方の結び目を形成して、前記一方の結び目止め孔側の前記ストラップ本体を引いて前記一方の結び目を前記一方の結び目入り孔に引き込み入れて、前記第１の携帯ストラップ用取付物品を前記ストラップ本体に再取り付けができることを可能とし、
前記他方の結び目入り孔および前記他方の結び目止め孔に通されかつ前記他方の結び目で抜けないように、前記ストラップ本体の他方を前記第２の携帯ストラップ用取付物品に取り付けた状態で、前記ストラップ本体の他方を切断し、前記他方の結び目入り孔内にある前記他方の結び目を取り出し、前記ストラップ本体の前記切断した部位を記他方の結び目止め孔から前記他方の結び目入り孔に通し出して他方の出した部分を形成し、この他方の出した部分に前記他方の結び目を形成して、前記他方の結び目止め孔側の前記ストラップ本体を引いて前記他方の結び目を前記他方の結び目入り孔に引き込み入れて、前記第２の携帯ストラップ用取付物品を前記ストラップ本体に再取り付けができることを可能としてなることを特徴とする携帯ストラップである。
【発明の効果】
【０００８】
以上の説明から明らかなように、本発明にあっては次に列挙する効果が得られる。
＜請求項１記載の発明の効果＞
紐を切断して結び目入り孔に棒を付き入れ結び目を簡単容易に取り出すことができるので、何回でも使用することができるという効果を奏する。
また、紐に取付後に紐が長い場合には、結び目を出し好みの長さとなる位置に新たな結び目を作り、余分な紐部位を切断し新たな結び目を結び目入り孔に引き込むことにより隠し、好みの紐の長さに簡単容易にできるという効果を奏する。
＜請求項２に記載の発明の効果＞
正面部位には孔は存在しないので、孔の開口および結び目が正面からは見える紐がない。これによって、動物の顔、マークなどのアクセント要素を正面に施してその面が正面を向く違和感のなく、むしろアクセント、飾り、広告効果などをもたらす携帯ストラップ用取付物品を実現するという効果を奏する。
また、結び目入り孔、結び目止め孔にストラップ本体を通し、結び目入り孔側のストラップ本体部位に結び目を形成して、当接開口側にストラップ本体を引っ張って結び目を結び目入り孔内に引き込むという操作だけで簡単に取り付けることができるとともに、紐であるストラップ本体は携帯ストラップ使用者の身近にある爪切り、鋏、カッターなどの身近な切断手段で切断し携帯ストラップ用取付物品を取り外して、他の携帯ストラップ用取付物品に該ストラップ本体を通し結び目を形成し取り付け替えることも使用者が簡単容易に行える、またストラップ本体を別の長さやカラーのものに取り替えることも身近な切断手段と結び目を作るという使用者自信の極めて簡単容易な手作業に行えるという効果を奏する。
また、ストラップ本体（紐）に切断予兆部が生じたら、切断予兆部以来を切り離し、携帯ストラップ用取付物品の結び目入り孔内に残っている結び目を、細い棒部材（針金クリップを伸ばしたものや、針、爪楊枝をカッター等で細くしたものなど）を結び目入り孔に挿入して結び目を出し、次に、結び目止め孔から切断したストラップ本体を挿入して結び目を入り孔から外に出して出した部位を形成し、この出した部位に結び目を形成し、余分な部分を切り取り、ストラップ本体を引っ張って結び目を結び目入り孔に引き込んで新たな連結形態を実現するという、使用者自信の極めて簡単容易な手作業によって、切断予兆部の無いストラップ本体と携帯ストラップ用取付物品の連結形態とした携帯ストラップを再生できるという効果を奏する。
また、ストラップ本体を長尺（好ましくは２０ｃｍ以上、より好ましくは３０ｃｍ以上）のものにして、携帯ストラップ用取付物品をストラップ本体に取りつけないで添付形態で、あるいは、結び目止め孔および結び目入り孔にストラップ本体を通し該結び目入り孔から出した孔通し形態で提供し、使用者のストラップ本体の好みの長さとするための、身近な切断手段によるストラップ本体の切断と、その後の結び目の形成という使用者自信の極めて簡単容易な手作業によって、好みの長さのストラップ本体としたトラップを素早く作成できることを可能にするという効果を奏する。
また、ストラップ本体を切断して携帯ストラップ用取付物品を切り離し、携帯ストラップ用取付物品を保管するなどして、他の非ループの一本紐のストラップ本体に取り付けて、ストラップを形成できるという効果を奏する。
また、結び目入り孔が貫通孔であれば、従来のビーズ、数珠玉などの紐通し孔付飾り品と同様に、紐や鎖を結び目入り孔に通した携帯ストラップ用取付物品を多数個取付、ブレスレット、ネックレスなどの飾り部品として使用できるとともに、結び目入り孔から結び目止め孔に紐を通して多数個の携帯ストラップ用取付物品を通した形態でのブレスレット、ネックレスの飾り部品としてもしようでき、また、糸通し横穴付ボタン、ヘアーゴムリングのゴム通し横穴付飾りなどの飾り部品としても使用できる。というより、ビーズ、数珠玉、糸通し横穴付ボタン、ヘアーゴムリングのゴム通し横穴付飾りなどの飾り部品の糸通し孔、ゴム通し孔を結び目入り孔とし、該結び目入り孔に交差する方向から結び目止め孔を形成してなる結び目止め孔付き飾り（＝結び目止め孔付きの携帯ストラップ用取付物品）とできるものであり、しかして、ブレスレット、ネックレス、糸通し横穴付ボタン、ヘアーゴムリングとして購入したものから結び目止め孔付飾りを外し、その結び目止め孔にストラップ本体を通し結び目を形成することによって携帯ストラップ用取付物品付のストラップを簡単に製作できるという効果を奏する。
＜請求項３に記載の発明の効果＞
請求項２に記載の発明と同様な効果を奏する。
＜請求項４に記載の発明の効果＞
結び目入り孔が正面部位面に開口を有する溝形態であり、前記正面部位面が飾り部材に接着、融着、溶着、嵌合などによって接合する接合面であることを特徴とする請求項５、６のいずれか1項に記載の携帯ストラップ用取付物品であるので、飾り部材に接合されて請求項５、６のいずれか1項に記載の発明と同様な効果を奏するとともに、結び目入り孔が開口を正面部位面にした溝形態であるので、合成樹脂製部材の射出成形、プレス成形などの成型において、上型と下型のみの簡単な金型構成で形成できるという効果を奏する。
また、単なる側面全面塞ぎ形態（溝開口が無い塞ぎ形態）の孔のものより、取付物品本体の厚みを薄くできる。
＜請求項５に記載の発明の効果＞
ストラップ本体（紐）の切断予兆部が生じたら、切断予兆部以来を切り離し、第１の携帯第１のストラップ用取付物品の結び目入り孔内に残っている結び目を、細棒を結び目入り孔に挿入して結び目を出しておいて、次に、結び目止め孔からストラップ本体の切断した部位側を挿入して結び目を入り孔から外に出して出した部位を形成し、この出した部位に結び目を形成し、余分な部分を切り落とし、ストラップ本体を引っ張って結び目を結び目入り孔に引き込んで新たな連結形態とし、切断予兆部の無いストラップ本体と第１の携帯ストラップ用取付物品の連結形態を再生できることを、身近な切断手段による切断と結び目を作るという使用者自信の極めて簡単容易な手作業により実現するという効果を奏する。
また、潜らせループを形成し締め付けいる部位を緩めストラップ本体を移動させることができるものであるので、ストラップ本体の一方の側に設けた第１の携帯ストラップ用取付物品の位置と、ストラップ本体の他方の側に設けた第２の携帯ストラップ用取付物品（例えばマスコット飾り）の位置とを調節して、すなわち、紐通し孔付き携帯品（例えば携帯電話）から、それぞれのストラップ本体の長さを好みの長さに調節して使用できるという効果を奏する。
しかして、例えばズボンのポケットに携帯電話を納めた携行態様では、ズボンのポケットの深さに対応させて、第２の携帯ストラップ用取付物品（例えばマスコット飾り）のポケットからの外への垂れ下がり位置を好みの位置や使用感のよい最適な位置にできる。
あるいは、腰ベルトに根付け態様で支持させるなど、携帯電話から第２の携帯ストラップ用取付物品までのストラップ本体の長さを調節することができる。
また、ショルダーバックに携帯電話を納め、第２の携帯ストラップ用取付物品（例えばマスコット飾り）を外に出し下げておく。それは、ショルダーバックの深さ、携帯電話の収納位置などに自在に対応させて、携帯電話から第２の携帯ストラップ用取付物品までのストラップ本体の長さを好みのものに、素早く容易に調節することができる。
【図面の簡単な説明】
【０００９】
【図１】本発明の実施例１の正面図、物品当接可能箇所図、平面図、底面図、右側面図および正面図中央縦断面図。
【図２】本発明の実施例１のストラップ本体装着状態断面図および物品への取付け状態断面図。
【図３】本発明の実施例１の物品への取付状態正面図および従来の携帯ストラップ用取付物品部品を用いた物品への取付け状態正面図。
【図４】本発明の実施例２の斜視図。
【図５】本発明の実施例３の斜視図。
【図６】本発明の実施例４の斜視図。
【図７】本発明の実施例５の斜視図。
【図８】本発明の実施例６の斜視図および断面図。
【図９】本発明の実施例７の正面図、底面図およびストラップ本体を取り付けた状態の断面図。
【図１０】本発明の実施例８の側面図および背面図。
【図１１】本発明の実施例８の切断予兆部位が生じた場合の対処手順図。
【図１２】本発明の実施例９の取り扱い図。
【図１３】本発明の実施例１０の平面図、正面図、右側面図、左側面図、背面図、底面図および拡大断面図。
【図１４】本発明の実施例１０の取付状態の側面図。
【図１５】潜らせループを形成して携帯ストラップ用取付物品を潜らせ取り付ける手順図。
【図１６】本発明の実施例１１の携帯ストラップ用取付物品の斜視図およびその使用形態例図。
【図１７】本発明の実施例１２の斜視図。
【図１８】本発明の実施例１３の斜視図。
【図１９】本発明の実施例１４の正面部位を上にした斜視図および飾り部材を接合した状態の結び目止め孔を上にした（正面部位を下にした）斜視図。
【図２０】本発明の実施例１５の正面部位を上にした斜視図および飾り部材を接合した状態の結び目止め孔を上にした（正面部位を下にした）斜視図。
【図２１】本発明の実施例１６の底面図および断面図。
【図２２】本発明の実施例１７の平面図、正面図、底面図および断面図。
【図２３】本発明の実施例１８の正面図、側面図および背面図。
【図２４】本発明の実施例１９の側面図および背面図。
【図２５】本発明の実施例２０の側面図および底面図。
【図２６】本発明の実施例２１の三種類の携帯ストラップ用取付物品のそれぞれの正面図および側面図。
【図２７】本発明の実施例２２のストラップ本体を取り付けた状態の断面図。
【図２８】本発明の実施例２３の携帯ストラップ。
【図２９】本発明の実施例２４の携帯ストラップの形成取付手順図。
【図３０】図２９の続き。
【図３１】本発明の実施例２５の携帯ストラップの形成取付手順図。
【図３２】本発明の実施例２６の携帯ストラップの形成取付手順図。
【図３３】本発明の実施例２７の携帯ストラップの形成取付手順図。
【図３４】本発明の実施例２８の携帯ストラップの形成取付手順図。
【図３５】本発明の実施例２９の携帯ストラップの形成取付手順図。
【図３６】本発明の実施例３０の携帯ストラップの形成取付手順図。
【図３７】本発明の実施例３１の携帯ストラップの形成取付手順図。
【図３８】本発明の実施例３２の携帯ストラップの形成取付手順図。
【図３９】本発明の実施例３３の２種類の取付物品の側面図縦断面図、側面図および平面図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図３、図１５に示す本発明の実施例１において４０はストラップ用の携帯ストラップ用取付物品であって、この携帯ストラップ用取付物品４０は、紐通し孔付き携帯品３に取り付け密着ないし当接した状態で看者から見て正面に見えるないし正面を向く正面部位６６とした、ハート形状の略平板部材からなる取付物品本体４１と、この取付物品本体４１の前記正面部位６６の反対面に形成された前記紐通し孔付き携帯品３に当接可能箇所である物品当接可能箇所５３（向きによって当接箇所部分は異なる）の中寄りに凹み形成されたストラップ本体折曲開放部４７の凹み形成側壁面の一つである開口形成段差面４２（実施例では中央より少し下方）と、取付物品本体４１の底面（非正面部位５４）から開口形成段差面４２に向けて貫通され、取付物品本体４１の非正面部位５４である図では底面に一方の開口部４３が形成されかつ開口形成段差面４２に他方の開口部３９を形成されてなる、ストラップ本体４を通しかつ他方の開口部３９から出たストラップ本体４をストパー本体４１の物品当接可能箇所５３側に出すためのあるいは該物品当接可能箇所５３側に出すストラップ本体を可能とした紐通し孔４５と、開口形成段差面４２によって形成されたストラップ本体折曲開放部底面部位４６によって非正面部位５４まで続くように形成された、他方の開口部３９から出たストラップ本体４が非正面部位５４に略真っ直ぐに向かって（傾斜孔でもよい）該非正面部位５４から外にでるようにする溝形態のストラップ本体折曲開放部４７と、このストラップ本体折曲開放部４７の非正面部位５４近くに設けられたストラップ本体４の太さよりもストラップ本体折曲開放部４７の物品当接可能箇所５３側開口の一部を狭くして、ストラップ本体折曲開放部４７にあるストラップ本体４が物品当接可能箇所５３側に抜けないように止める突起形態のストラップ止め突起４８とからなっている。
紐通し孔４５は、非正面部位５４の一方の開口部４３から形成されたストラップ本体４の結び目５２が入り保持されるストラップ本体４の太さよりも広い開口孔径（溝径も含む）の結び目入り孔４９と、この結び目入り孔４９からその他方の開口部４３に連絡されたストラップ本体４が一本通り且つ結び目５２が通らない開口孔径のストラップ本体折曲開放部４７に連絡した結び目止め孔５０と、結び目入り孔４９と結び目止め孔５０の境に形成された、結び目５２の結び目止め孔５０への進入を阻止する進入阻止段差部５１とからなっている（図２参照）。
取付物品本体の正面部位６６あるいは正面部位から非正面部位にかけて絵柄などの装飾を施したもの、あるいは花装飾部材などの装飾部材を接着剤や粘着材で取付けてなるものもよい。
ストラップ止め突起４８へのストラップ本体４は指で押し込むと容易に入り、物品当接可能箇所側に引くと容易に抜けるような幅となっている。
【００１２】
紐通し孔付き携帯品３の紐通し取付け孔Ｂにストラップ本体４を折り畳形態で通し、通し出した部位を広げて潜らせループ９８を形成して、潜らせループ９８に携帯ストラップ用取付物品８５を潜らせ（図１５の（ａ）図）、ストラップ本体４を引き（図１５の（ｂ）図）、潜らせループ９８を携帯ストラップ用取付物品８５が抜けない環に締め縮め、携帯ストラップ用取付物品８５を紐通し孔付き携帯品３に当接させる。
【００１３】
図２の下図に示すように、「携帯ストラップ用取付物品潜らせ取り付け形態」で携帯ストラップ用取付物品４０を携帯電話などの紐通し孔付き携帯品３に取り付けた形態にあって、紐通し孔付き携帯品３側に携帯ストラップ用取付物品４０を引きつけて該紐通し孔付き携帯品３に当接する状態にあっては、他方の開口部３９から出ているストラップ本体４は強制的に携帯ストラップ用取付物品４０の物品当接可能箇所側に向き出た状態となって、それによって携帯ストラップ用取付物品４０は紐通し孔付き携帯品３にその物品当接可能箇所を押し当てられた状態である正面を向いた状態が固定状態とされ、携帯ストラップ用取付物品４０の大きさにもよるが、携帯ストラップ用取付物品背部の紐通し取付け孔Ｂおよびそれを通り外周を回っているストラップ本体４部分が隠されるので、より良好な美観を形成する。
【００１４】
良好な美観を形成するその事例を、図３で示している。
図３の右図に示す側面からストレートな紐通し孔を有する従来の携帯ストラップ用取付物品部品（ハート形状）を携帯ストラップ用取付物品５５として用いたものである。
携帯ストラップ用取付物品５５を一本の紐であるストラップ本体４の先端に取り受けたものでは、紐通し孔付き携帯品３の紐通し取付け孔Ｂに「携帯ストラップ用取付物品潜らせ取り付け形態」で携帯ストラップ用取付物品５５を取付け、携帯ストラップ用取付物品５５を紐通し孔付き携帯品３に引き寄せ当接させた場合、携帯ストラップ用取付物品５５の紐通し孔が正面を向いた形態となって、ハート形状が正面を向かない、ハート形状が分かり難い、またハート面に模様等が施されている場合はその模様等が見えがたいものになってしまうという、違和感のあるアクセント力の弱い状態となり、また、ストラップ本体４もそのカラーが正面から見えてしまうものである。
【００１５】
これに対して、図３の左図に示す、本発明の実施例の携帯ストラップ用取付物品４０をストラップ本体４の一方の先端に取り付け、他方の先端に物品２を取り付けた形態のストラップ５としたものでは、紐通し孔付き携帯品３の紐通し取付け孔Ｂに「携帯ストラップ用取付物品潜らせ取り付け形態」で取付け、携帯ストラップ用取付物品４０を紐通し孔付き携帯品３に引き寄せ当接させた場合、携帯ストラップ用取付物品４０の物品当接可能箇所が紐通し孔付き携帯品３に当って、結果、紐通し孔の無いハート形状が正面を向いた違和感のないアクセント取り付け状態となり、また、ストラップ本体４も携帯ストラップ用取付物品４０に隠れて見えない状態を実現しているものである。
携帯ストラップ用取付物品４０は、ハート形状、星形状、多角形状、花形状、リボン形状、動物形状、乗り物形状など多様な形態があり、平板に限られず立体的なものでもよい。
また、携帯ストラップ用取付物品４０をベース携帯ストラップ用取付物品とする形態もよい。すなわち、正面部位６６を平面、緩やかな湾曲面、あるいは装飾粒部材（粒形態の宝石ないし宝石状のものなど）の位置決め凹み（１個ないし複数個）設けたものなど、装飾部材を接着剤などで後付けするベース携帯ストラップ用取付物品とするのもよい。この形態も本発明の技術的範疇に含まれるものである。
【実施例２】
【００１６】
図４に示す本発明の実施例２において５７は携帯ストラップ用取付物品であって、前記実施例１と主に異なる点は以下に述べるとおりである。
携帯ストラップ用取付物品５７は、半球形態ないし正面球面形態の取付物品本体５８と、この取付物品本体５８の物品当接可能箇所５３側に溝形態に形成されたストラップ本体折曲開放部６１と、このストラップ本体折曲開放部６１の物品当接可能箇所５３と連絡された傾斜面である開口形成段差面５９と、取付物品本体５７の非正面部位５４から開口形成段差面５９に向けて貫通され、非正面部位５４に一方の開口部（図示せず省略）が形成され開口形成段差面５９に他方の開口部４４を形成してなる、ストラップ本体４を通しかつ他方の開口部４４から出たストラップ本体４を、ストパー本体５７の物品当接可能箇所側に出すためのあるいは該物品当接可能箇所側に出す紐を可能とした紐通し孔４５とからなっている。
紐通し孔４５の構造は実施例１の携帯ストラップ用取付物品４０と同じである。
【実施例３】
【００１７】
図５に示す本発明の実施例３において前記実施例２と主に異なる点は、結び目止め孔５０に真っ直ぐに連絡され該結び目止め孔５０の反対側に抜けストラップ本体出し開口６５を形成しかつ結び目止め孔５０よりも広く該結び目止め孔５０を通ったストラップ本体４が通り抜けて該取付物品本体５８の外側（平面）に抜ける溝である紐通し溝６３を形成し、この紐通し溝６３の溝開口であるストラップ本体折曲開放部６１を取付物品本体５８の物品当接可能箇所に形成し、ストラップ本体折曲開放部６１がストラップ本体４が押し潰されて通る幅とした携帯ストラップ用取付物品６４を形成した点にある。
このような構造とする紐により、紐通し溝６３のストラップ本体出し開口６５から出したストラップ本体４を物品当接可能箇所側に起こしストラップ本体折曲開放部６１に入れ、平面中央に引き入れる紐によりストラップ本体４は取付物品本体５８の物品当接可能箇所略中央に出された形態に保持される。
よって、携帯ストラップ用取付物品６４のぶらつかせた吊り下げ状態においても、あるいは物品への引きつけ当接状態においても、いずれの場合にあってもストラップ本体４の物品当接可能箇所からの出し状態での使用形態と、ストラップ本体出し開口６５からの出し状態での使用形態という、二種類の使用形態を実現するものである。
また、携帯ストラップ用取付物品６４の以上のような構造は、対向する二つの金型によって成形する紐ができる。
【実施例４】
【００１８】
図６に示す本発明の実施例４において前記実施例２と主に異なる点は、ストラップ本体折曲開放部の構造を非正面部位５４に抜けない止まり孔形態でストラップ本体４より大きなストラップ本体折曲開放部７０としてなる携帯ストラップ用取付物品７１を形成した点ある。
【実施例５】
【００１９】
図７に示す本発明の実施例５において前記実施例４と主に異なる点は、ストラップ本体折曲開放部の構造を左右側面に貫通したストラップ本体折曲開放部７２としてなる携帯ストラップ用取付物品７３を形成した点ある。
開口形成段差面は非傾斜面である開口形成段差面７４としている。
【実施例６】
【００２０】
図８に示す本発明の実施例６において７５は携帯ストラップ用取付物品であって、この携帯ストラップ用取付物品７５は、取付物品本体５８と、この取付物品本体５８の平面部位からなる物品当接可能箇所５３と、取付物品本体５８の非正面部位５４の一方の開口部４３から形成されたストラップ本体４の結び目５２が入り保持されるストラップ本体４の太さよりも広い径の結び目入り孔４９と、物品当接可能箇所５３の略中央に開口された他方の開口部４４と、結び目入り孔４９から他方の開口部４４に連絡されたストラップ本体４の太さより太い径の湾曲孔である結び目止め孔７６と、結び目入り孔４９と結び目止め孔７６の境に形成された、結び目５２の結び目止め孔７６への進入を阻止する進入阻止段差部５１と、結び目止め孔７６のストラップ本体５８の物品当接可能箇所に形成された開口である紐通し孔７７とからなっている。
結び目止め孔７６は直角に曲がった形態もよい。
【実施例７】
【００２１】
図９に示す本発明の実施例７において８５はストラップ用の携帯ストラップ用取付物品であって、この携帯ストラップ用取付物品８５は次のような構成となっている。
円盤形態の取付物品本体８６と、
この取付物品本体８６の、紐通し孔付き携帯品３（図３、図１５参照）に取り付けられた該紐通し孔付き携帯品に直接的にあるいは間接的に密着あるいは当接した状態にあって、看者から見て正面向きとなる正面部位８７と、
前記取付物品本体８６の、紐通し孔付き携帯品３に取り付けられた該紐通し孔付き携帯品３に密着あるいは当接した状態にあって、前記紐通し孔付き携帯品３に当接する面である物品当接可能箇所８８と、
前記取付物品本体８６の前記正面部位８７と前記物品当接可能箇所８８との間に位置する非正面部位８９と、
この非正面部位８９から対向側の非正面部位８９に向けてあけられた、通されたストラップ本体４の結び目５２が入り込む孔径（多様な孔形態を含み、貫通孔、止まり穴を技術的範疇に含む。）の結び目入り孔９０と、
前記物品当接可能箇所８８側から前記結び目入り孔９０に交差形態で連絡されかつ前記正面部位８７には非貫通とされた（Ｔ字形の交差形態）、前記ストラップ本体４を通しかつ前記結び目５２を通さない開口孔径の結び目止め孔９１とからなっている。
取付物品本体８６は円盤形態としているが、多角形、花形、虫形、動物形、文字形、ロゴ形、キャラクター形、抽象的な模様形などの多様な盤形態でよい。
【００２２】
結び目入り孔９０は貫通孔となっているが、物品当接可能箇所８８側で、結び目入り孔９０の全区間あるいは２区間いずれか一方を溝としてもよく、その場合の溝開口の幅は、ストラップ本体４は通るが（ストラップ本体４が押し潰された形態で通る窮屈形態の溝開口形態を含む）結び目５２が通らない形態とするのがよい。このような溝形態も本発明の結び目入り孔の技術的範疇に含まれるものである。
このような溝形態の結び目入り孔とすることにより、結び目入り孔から結び目を取り出す時に溝開口部位から爪楊枝などの細棒を入れ結び目に当てないし突き刺し、外側に移動させて取り出すという、容易な結び目の取り出し操作を実現する。
【００２３】
ストラップ本体を多数本の極細繊維からなるものとして、先端を開放して毛ば立たせた膨らみ形態にして、結び目入り孔９０内に引き込みと止め状態にして、毛ば立たせた部位に瞬間接着剤を含ませ硬化させて結び目に変わる塊を形成して抜けないようにすることも可能である。
また、ストラップ本体が透明な釣り糸であるテグス製部材もよい。
結び目止め孔９１は複数個でもよい。また、結び目止め孔９１は円孔である必要はなく、ストラップ本体４が複数本通る横長形態でもよく、ようは、結び目が抜け無い形態であればその形態はどのようなものでもよい。こんことは、他の実施例の結び目止め孔に付いて適用されるものである。
【００２４】
また、携帯ストラップ用取付物品８５とストラップ本体４とを分離した状態で提供するストラップキットを形成するのもよい。
ストラップ本体４は長尺のまま提供し、使用者が好みの長さで携帯ストラップ用取付物品８５を一方の端に、他方の端に物品を取り付けができるようにする。
または、両端に携帯ストラップ用取付物品を取り付けたストラップ形態として、ストラップ本体の両端に紐通し孔付き携帯品を連結形態で取り付けるようにする。
あるいは、ぬいぐるみなどの物品が一方の側に既に設けられたストラップとし、このストラップが２０ｃｍ以上（好ましくは３０ｃｍ以上）の長さのものとし、使用者が好みの長さとして携帯ストラップ用取付物品を他方の側に取り付けできるようにするのもよい。
あるいは、携帯ストラップ用取付物品を紐の一方の側に取り付けた状態とし、紐の他方の側に好みの物品を取り付ける形態で提供するストラップキットとするのもよい。
また、携帯ストラップ用取付物品８５をベース携帯ストラップ用取付物品とする形態もよい。すなわち、正面部位６６を平面、緩やかな湾曲面、あるいは装飾粒部材（粒形態の宝石ないし宝石状のものなど）の位置決め凹み（１個ないし複数個）設けたものなど、装飾部材を接着剤などで後付けするベース携帯ストラップ用取付物品とするのもよい。この形態も本発明の技術的範疇に含まれるものである。
【実施例８】
【００２５】
図１０、図１１に示す本発明の実施例８において９５は携帯ストラップ用取付物品であって、この携帯ストラップ用取付物品９５は次のような構成となっている。
動物形態の合成樹脂製部材からなる取付物品本体９６と、
この取付物品本体９６の、紐通し孔付き携帯品（図時せず省略。紐通し孔付き携帯品へ取り付けは図２、図３と同様）に取り付けられた該紐通し孔付き携帯品に直接的にあるいは間接的に密着あるいは当接した状態にあって、看者から見て正面向きとなる正面部位８７と、
前記取付物品本体９６の、紐通し孔付き携帯品に取り付けられて該紐通し孔付き携帯品に直接的にあるいは間接的に密着あるいは当接した状態にあっては、前記紐通し孔付き携帯品に当接する面となる物品当接可能箇所８８と、
前記取付物品本体９６の前記正面部位８７と前記物品当接可能箇所８８との間に位置する非正面部位８９と、
この非正面部位８９から対向側非正面部位８９に向けてあけられた、通されたストラップ本体４の結び目５２（図示せず省略）が入り込む孔径（多様な孔形態を含む。）の結び目入り孔９４と、
前記物品当接可能箇所８８から前記結び目入り孔９４に向けてあけられかつ該結び目入り孔９４とＴ字形の交差形態で連絡された、前記ストラップ本体４を通しかつ前記結び目５２を通さない開口孔径の結び目止め孔９７と、
この結び目止め孔９７の開口であるストラップ本体折曲開放部９２と、
前記結び目入り孔９４にその直線延長形態で連絡された、ストラップ本体４を通しかつ前記結び目５２を通さない開口孔径の結び目止め孔９３とからなっている。
【００２６】
ストラップ本体を結び目止め孔９３から出す形態とすることによって、紐通し孔付き携帯品から離しぶら下げた形態としても違和感のない状態とでき、結び目止め孔９１から出す形態とする紐によって、紐通し孔付き携帯品に密着ないし当接させても違和感のない状態とできる。
【００２７】
図１１に示すように、ストラップ本体４に切断予兆部位が生じた場合の対処手順を示している。
図１１の（ａ）：ストラップ本体４に切断予兆部位が生じた。
図１１の（ｂ）：切断予兆部位以来を鋏、爪切り、カッターなどで切断切り離す。（切断）
図１１の（ｃ）：結び目入り孔９０内にある結び目５２を取り出す。（結び目取り出し）
図１１の（ｄ）：切断予兆部位を無くしたストラップ本体４の一方を結び目止め孔９１から挿入し、結び目入り孔９０から外に出して一方の出した部位９９を形成する。（ストラップ本体通し）
図１１の（ｅ）：一方の出した部位９９に結び目５２を形成する。（結び目形成）
図１１の（ｆ）：ストラップ本体４を引いて結び目５２を結び目入り孔９０内に引き込む。（結び目引き込み）
切断→結び目取り出し→ストラップ本体通し→結び目形成→結び目引き込み、という手順による携帯ストラップ用取付物品に付け直しは、単にストラップ本体を短くする場合にも適用できるものであり、携帯ストラップ用取付物品９５の側でおこなってもよいものである。当然に携帯ストラップ用取付物品８５側で調節してもよい。
【実施例９】
【００２８】
図１２に示す本発明の実施例９において１００はストラップキットであって、このストラップキット１００は次に述べるようなものである。
すなわち、紐通し孔付き携帯品３（図１５参照）の紐通し孔Ｂ（図１５参照）に、折り合わせ状態で通されて通し出された側に潜らせループ９８（図１５参照）を形成する紐からなるストラップ本体４と、
このストラップ本体４の一方に形成した結び目５２aが入るないし通る径の貫通孔である結び目入り孔９０（図９参照）、この結び目入り孔９０に連絡された前記結び目５２ａが通らない径の結び目止め孔９１とを備え、前記ストラップ本体４が通され前記結び目５２ａが形成された形態で、前記ストラップ本体４の一方に取り付けられるないし取り付けられた、前記潜らせループ９８に潜らせて前記紐通し孔付き携帯品４側に取り付け可能とされた携帯ストラップ用取付物品８５（図９参照）（ここではエンドストッパーとして使用）と、
前記ストラップ本体４の他方に形成した結び目５２ｂが入るないし通る径の貫通孔である結び目入り孔９４（図１０参照）、この結び目入り孔９４に連絡された前記結び目５２ｂが通らない径の結び目止め孔９３、９７（図１０参照）とを備え、前記ストラップ本体４が通され前記結び目５２ｂが形成された形態で、前記ストラップ本体４の他方に取り付けられるないし取り付けられた紐通し止め孔付き物品である携帯ストラップ用取付物品９５（図１０参照）とからなるとともに、
前記結び目入り孔９０および前記結び目止め孔９１に通されかつ前記結び目５２ａで抜けないように、前記ストラップ本体４の一方を前記携帯ストラップ用取付物品９５に取り付けた状態で、前記ストラップ本体４の一方を切断し、前記結び目入り孔９０内にある前記結び目５２ａを取り出し、前記ストラップ本体４の前記切断した部位を前記結び目止め孔９１から前記結び目入り孔９０に通し出して一方の出した部分を形成し、この一方の出した部分に新たな結び目５２ａを形成して、前記結び目止め孔９１側の前記ストラップ本体４を引いて新たな結び目５２ａを前記結び目入り孔９０内に引き込み入れて、前記携帯ストラップ用取付物品８５を前記ストラップ本体４に再取り付けができることを可能とし、
前記結び目入り孔９４および前記結び目止め孔９３に通されかつ前記結び目５２ｂで抜けないように、前記ストラップ本体４の他方を前記携帯ストラップ用取付物品９５に取り付けた状態で、前記ストラップ本体４の他方を切断し、前記結び目入り孔９４内にある前記結び目５２ｂを取り出し、前記ストラップ本体４の前記切断した部位を記結び目止め孔９３から前記結び目入り孔９４に通し出して他方の出した部分を形成し、この他方の出した部分に前記結び目５２ｂを形成して、前記結び目止め孔９３側の前記ストラップ本体４を引いて前記結び目５２ｂを前記結び目入り孔９４に引き込み入れて、前記携帯ストラップ用取付物品９５を前記ストラップ本体４に再取り付けができることを可能としてなることを特徴としている。
【００２９】
実施例９においては、ストラップ本体４の一方側に携帯ストラップ用取付物品８５が取り付けられ、結び目５２ａが携帯ストラップ用取付物品８５外に出された形態とされ、ストラップ本体４の他方の側に携帯ストラップ用取付物品９５が取り付けられ、結び目５２ｂが携帯ストラップ用取付物品９５の外にだされた形態とされたストラップ１１０形成されている。
また、ストラップ本体４より長尺のストラップ本体１１１が添付されている。
ストラップ１１０とストラップ本体１１１とでストラップキット１００を形成している。
ストラップ１１０は、ストラップ本体４のそのままの長さでＯＫなら、結び目５２ａを携帯ストラップ用取付物品８５に引き込み、結び目５２ｂを携帯ストラップ用取付物品９５内に引き込んで使用できるが、ストラップ本体４の長さを短くしたい場合は、好みの長さで止めるための新たな結び目を、結び目５２ａ側および結び目５２ｂ側に、あるいはいずれか一方に新たに形成して、余分な部位を切り離し、新たな結び目を携帯ストラップ用取付物品内に引き込み入れた状態としたストラップ１１２を形成する。
より長いストラップ本体としたい場合や、ストラップ本体４に切断予兆が生じたら、ストラップ本体４から携帯ストラップ用取付物品８５、９５を外し、ストラップ本体１１１に好みの長さで再取り付けする。
【００３０】
長尺のストラップ本体と、このストラップ本体とは分離して添付された１個ないし複数個の携帯ストラップ用取付物品とからなるストラップキットもよい。
【実施例１０】
【００３１】
図１３、図１４に示す本発明の実施例１０において１１４は携帯ストラップ用取付物品であって、この携帯ストラップ用取付物品１１４は、長方形の板形態からなる取付物品本体１１５と、
この取付物品本体１１５の、紐通し孔付き携帯品３（図３、図１５参照）に取り付けられた該紐通し孔付き携帯品３に密着あるいは当接した状態にあって、看者から観て正面となる、ロゴ１２２が表示された正面部位１１６と、
前記取付物品本体１１５の、紐通し孔付き携帯品３に取り付けられた該紐通し孔付き携帯品３に密着あるいは当接した状態にあって、前記紐通し孔付き携帯品３に当接する面である物品当接可能箇所１１７と、
前記取付物品本体１１５の前記正面部位１１６と前記物品当接可能箇所１１７との間に位置する非正面部位１１８と、
この非正面部位１１８から対向側の非正面部位１１８に向けてあけられた、通されたストラップ本体４の結び目５２（図９と同様）が入り込む孔径（多様な孔形態を含み、貫通孔、止まり穴を技術的範疇に含む。）の結び目入り孔１１９と、
前記物品当接可能箇所１１７から前記結び目入り孔１１９に向けてあけられかつ該結び目入り孔１１９と連絡された、前記ストラップ本体４を通しかつ前記結び目５２を通さない開口孔径の結び目止め孔１２０と、
前記物品当接可能箇所１１７の縁側に、正面部位１１６とは反対側に突出するように設けた、結び目止め孔１２０からでるストラップ本体４を避けるように離れて設けられた突出部１２３ａ、１２３ｂとからなっている。
【００３２】
図１４に示すように、紐通し孔付き携帯品３への取付状態にあっては、突出部１２３ａ、１２３ｂが紐通し孔付き携帯品３の縁角に掛かり形態となって、携帯ストラップ用取付物品１１４の向きが固定され、よって、ロゴ１２２が向きを変えない安定形態が実現される。
また、突出部１２３ａ、１２３ｂに替えて、紐通し孔付き携帯品３の縁角が掛かるないし嵌る溝形態とするのも同様な取付形態を実現する。
図１４において、ストラップ本体４の一方の側に携帯ストラップ用取付物品１１４が設けられ、ストラップ本体の他方の側に携帯ストラップ用取付物品９５が設けられてなるストラップ１２４を形成している。
【実施例１１】
【００３３】
図１６に示す本発明の実施例１１において１２６は携帯ストラップ用取付物品であって、この携帯ストラップ用取付物品１２６は、短円筒形態の取付物品本体１２７と、
この取付物品本体１２７の、紐通し孔付き携帯品３（図３、図１５参照）に取り付けられた該紐通し孔付き携帯品３に密着あるいは当接した状態にあって、看者から見て正面向きとなる正面部位１２８と、
前記取付物品本体１２７の、紐通し孔付き携帯品３に取り付けられた該紐通し孔付き携帯品３に密着あるいは当接した状態にあって、前記紐通し孔付き携帯品３に当接する面である物品当接可能箇所１２９と、
前記取付物品本体１２７の前記正面部位１２８と前記物品当接可能箇所１２９との間に位置する非正面部位１３０と、
この非正面部位１３０から対向側の非正面部位１３０に向けてあけられた形態である、通されたストラップ本体４の結び目５２（図９と同様）が入り込む孔径の貫通筒孔からなる結び目入り孔１３１（結び目よりそうとうに大きい）と、
前記物品当接可能箇所１２９から前記結び目入り孔１３１に向けてあけられかつ該結び目入り孔１３１と連絡された、前記ストラップ本体４を通しかつ前記結び目５２を通さない開口孔径の結び目止め孔１３２とからなっている。
【００３４】
図１６の下図に示すような、リング１３４にストラップ本体４を一方の側に取り付けた携帯ストラップ用取付物品１２６を４個を通し取り付けし、３本のストラップ本体４には携帯ストラップ用取付物品４０を取付、携帯ストラップ用取付物品４０には熊マスコットの耳部分に紐通し取付け孔Ｂ（図示せず）を有す紐通し孔付き携帯品１３５を潜らせループ取付形態で取り付け、残りのストタップ本体４には携帯ストラップ用取付物品１２６を取り付け、それを紐通し孔付き携帯品３に取り付けている。
【実施例１２】
【００３５】
図１７に示す本発明の実施例１２において１３７は（ａ）図は携帯ストラップ用取付物品であって、この携帯ストラップ用取付物品１３７はボタンである円板形態の取付物品本体１４１と、この取付物品本体１４１の裏面に盛り上げられた盛り上がり部１４２と、この盛り上がり部１４２の側面である非正面部位１４３ａから貫通された糸通し横穴である結び目入り孔１３８と、盛り上がり部１４２の物品当接可能箇所１３９（盛り上がり部１４２の頂部面）から結び目入り孔１３８にＴ字形の交差形態（盛り上がり部１４２の頂部面から略垂直に向かって）で連絡された結び目止め孔１４０とからなるものである。
元々はボタンであり、結び目止め孔１４０を設けることによって、ストラップの携帯ストラップ用取付物品（紐止め孔付き携帯ストラップ用取付物品）としても使用できるようにしたものである。
【００３６】
図１７に示す本発明の実施例１２において１５１は（ｂ）図は携帯ストラップ用取付物品であって、この携帯ストラップ用取付物品１５１はボタンであり、正面部位（表面）および物品当接可能箇所１５２側（背面側＝裏面側）が湾曲形態で盛り上がった（スポーツ競技の円盤投げの円板形態）形態ないし、物品当接可能箇所１５２側だけが湾曲形態で盛り上がった円盤形態である取付物品本体１５３と、この取付物品本体１５３の背面側の中腹部位である非正面部位１５４ａから貫通された糸通し横穴である結び目入り孔１５５と、物品当接可能箇所１５２（背面側の頂部面）から結び目入り孔１５５にＴ字形の交差形態（背面側頂部面から略垂直に向かって）で連絡された結び目止め孔１５６とからなるものである。
元々はボタンであり、結び目入り孔１５６を設けることによって、ストラップの携帯ストラップ用取付物品（紐止め孔付き携帯ストラップ用取付物品）としても使用できるようにしたものである。
【００３７】
ボタンではなく、バッチを取付物品本体とし、これに結び目入り孔とこれにＴ字形の交差形態とされた結び目止め孔を設けた形態もよい。
バッチを携帯ストラップ用取付物品とした場合にあっては、安全ピンや刺しピンを設けない最初から携帯ストラップ用取付物品として提供するもの、安全ピンや刺しピンが付いていてバッチとして使用でするが、安全ピン部分や刺しピン部分をニッパーなどで取り除いて携帯ストラップ用取付物品として使用できるようにしたものがある。
【００３８】
図１７に示す本発明の実施例１２において１４４は（ｃ）図は携帯ストラップ用取付物品（結び目止め孔付き携帯ストラップ用取付物品）であって、この携帯ストラップ用取付物品１４４は髪束ね用ゴム紐に取り付ける髪飾りであり、飾り部位である取付物品本体１４５と、この取付物品本体１４５の裏面に盛り上げられた盛り上がり部１４６と、この盛り上がり部１４６の側面である非正面部位１５０ａから貫通されたゴム紐通し横穴である結び目入り孔１４７と、盛り上がり部１４６の物品当接可能箇所１４８（盛り上がり部１４６の頂部面）から結び目入り孔１４７にＴ字形の交差形態（盛り上がり部１４６の頂部面から略垂直に向かって）で連絡された結び目止め孔１４９とからなるものである。
元々は束ね用ゴム紐に取り付ける髪飾りであり、結び目止め孔１４９を設けることによって、ストラップの携帯ストラップ用取付物品（紐止め孔付き携帯ストラップ用取付物品）としても使用できるようにしたものである。
【００３９】
以上のように、元々はビーズ、数珠玉、ボタン、髪飾り、バッチなどの飾り物品であるもので、結び目入り孔と交差形態で連絡された結び目止め孔を有する飾り物品は、ストラップ以外の飾り品として販売、提供されているものでも本発明の技術的範疇に含まれるものである。
【実施例１３】
【００４０】
図１８に示す本発明の実施例１３において１５７は（ａ）図は携帯ストラップ用取付物品であって、この携帯ストラップ用取付物品１５７は円板形態の取付物品本体１５８と、この取付物品本体１５８の側面である非正面部位１５９から貫通（止め孔でもよい）されたストラップ本体４の結び目（一回結び）が入る糸通し横穴（糸入り横穴）である結び目入り孔１６０と、取付物品本体１５８の背面から結び目入り孔１６０にＴ字形の交差形態で連絡された結び目止め孔１６１とからなるものである。
結び目入り孔１６０の結び目止め孔１６１側には、スリット状の結び目入り孔開口１６２ａ、１６２ｂが結び目止め孔１６１の周囲を除く略全区間（２区間）に設けられ、結び目止め孔１６１の出口開口に連絡する形態で開口され、結び目入り孔１６０を溝形態とも言える形態としてなるものである。
その場合の結び目入り孔開口１６２ａ、１６２ｂの開口幅は、ストラップ本体４は押し潰された形態で通る窮屈形態の溝開口形態である。
結び目止め孔１６１の開口周辺部位は物品当接可能箇所１６５となる。
このような溝形態の結び目入り孔とすることにより、結び目入り孔から結び目を取り出す時に溝開口部位から爪楊枝などの細棒を入れ結び目に当てないし突き刺し、外側に移動させて取り出すという、容易な結び目の取り出し操作を実現する。
結び目入り孔開口１６２ａ、１６２ｂいずれか一方を結び目が入る開口幅としてもよい。
正面部位１６３は真っ平ら面となっていて、該正面部位に接着剤を塗布し、あるいは予め剥離紙の貼られた粘着剤面とされて提供され、他の飾り部材に接着して使用するベース携帯ストラップ用取付物品である。
また、正面部位１６３を飾り物品に溶着ないし融着して接合するのもよい。
【実施例１４】
【００４１】
図１９に示す本発明の実施例１４において実施例７（図９）と主に異なる点は、結び目入り孔が正面部位８７面に該結び目入り孔の孔径と略同じ幅の開口を有する溝形態である結び目入り孔１６４とし、前記正面部位８７面が飾り部材１７０に接着、融着、溶着、嵌合などによって接合する接合面である携帯ストラップ用取付物品１６６を形成した点にある。
【実施例１５】
【００４２】
図２０に示す本発明の実施例１５において１７２は携帯ストラップ用取付物品であって、この携帯ストラップ用取付物品１７２は半円板形態の取付物品本体１７３と、この取付物品本体１７３の紐通し孔付き携帯品３の紐通し取付け孔Ｂ（図示せず）にストラップ本体４を通して取り付けられた取付状態では看者から見て正面向きとなる正面部位８７と、前記取付物品本体１７３の前記正面部位８７の反対面に形成された、前記紐通し孔付き携帯品３ないし紐通し取付け孔Ｂに通したストラップ本体４の前記紐通し孔付き携帯品３に当接ないし密着したストラップ本体４部位に当接する箇所（縁部位）である物品当接可能箇所１７４と、
前記取付物品本体１７３の前記正面部位８７と前記物品当接可能箇所１７４との間に位置する外周面部位（側面）である非正面部位８９と、
この非正面部位８９（湾曲側面）から対向側非正面部位（平側面）に向けてあけられた（形成された）、通されたストラップ本体４の結び目が入り込む孔径孔を形成する溝形態である結び目入り孔１６４と、
この結び目入り孔１６４の一方の側に形成された、該結び目入り孔１６４の側面口を狭める形態で設けられた、ストラップ本体４が通りかつ該ストラップ本体４の結び目が通らない開口孔径を形成する結び目止め孔１７５と、
この結び目止め孔１７５から出たストラップ本体４を正面部位８７とは反対向きに折曲可能とする、結び目止め孔１７５開口前面の開放空間であるストラップ本体折曲開放部１７８とからなっている。
【００４３】
携帯ストラップ用取付物品１７２はその正面部位８７を接着、融着、溶着、嵌合などの接合形態によって、飾り部材１７０に接合し取り付けた形態とした携帯ストラップ用取付物品１７６にして使用する（下図）。よって、飾り部材１７０に携帯ストラップ用取付物品１７２を取り付けてなる携帯ストラップ用取付物品としたものも、本発明の技術的範疇に含まれるものである。
飾り部材１７０への接合によって、結び目入り孔１６４と結び目止め孔１７５は周壁が閉じられた貫通孔形態の結び目入り孔１６４と結び目止め孔１７５となる。
紐通し取付け孔Ｂにストラップ本体４を折り通し、通し出した部分を広げて潜らせループを形成し、この潜らせループに携帯ストラップ用取付物品１７６を潜らせ、紐通し取付け孔Ｂの反対側に出ているストラップ本体４部分を引っ張り携帯ストラップ用取付物品１７６を紐通し孔付き携帯品３に当接ないし紐通し孔付き携帯品３に当接しているストラップ本体４に当接した状態に取り付けられる。
この場合の、当接箇所は物品当接可能箇所１７４と飾り部材１７０の背面１７７の適当な箇所（向きによって箇所がことなる）となる。
結び目入り孔１６４と結び目止め孔１７５は、非溝形態の完全な孔形態であるものもよい。
携帯ストラップ用取付物品１７２と飾り部材１７０を射出成形などの一体成形により形成してなる携帯ストラップ用取付物品とする形態もよい。
【実施例１６】
【００４４】
図２１に示す本発明の実施例１６において前記実施例７と主に異なる点は、取付物品本体を楕円円盤形態のビーズである取付物品本体１８１とし、結び目入り孔９０の結び目止め孔９１を過ぎた部位である側を結び目止め孔１８２とした携帯ストラップ用取付物品１８０を形成した点にある。
結び目入り孔９０と結び目止め孔１８２に紐を通して数珠、ブレスレット、ネックレスなどを作成できるとともに、実施例７と同様な形態での携帯ストラップ用取付物品としても使用できる。
携帯ストラップ用取付物品としての使用は、ストラップ本体を結び目止め孔１８２から出しての使用形態と、結び目止め孔９１から出しての使用形態の２種類から好みの方を選択することができる。
【実施例１７】
【００４５】
図２２に示す本発明の実施例１７において１８４は携帯ストラップ用取付物品であって、この携帯ストラップ用取付物品１８４は、携帯ストラップを取り付けるための紐通し孔Ｂを備えた主に携帯電話、携帯スマートホン、携帯デジタルカメラなどの紐通し孔付き携帯品３（ここでは携帯電話）の、前記紐通し孔Ｂに通る太さであるストラップ本体４、このストラップ本体４に取り付けられて該ストラップ本体４とで携帯ストラップを形成することが可能とされた携帯ストラップ用取付物品であって、
前記紐通し孔Ｂを通らない略ドングリ状形態でシリコンゴム製部材、天然ゴム制部材、弾性合成樹脂製部材などの指で摘み押すと弾性凹みする取付物品本体１８５に前記ストラップ本体４の結び目５２が入る開口孔径の結び目入り孔１８６を底部から上方に向けて設け、前記結び目入り孔１８６に真っ直ぐに連絡して上方に突き抜けるストラップ本体４が余裕を持って通る紐通り孔１８７を設け、結び目入り孔１８６と紐通り孔１８７の間に位置された金属製ないし硬質耐熱性合成樹脂の板材からなり、かつ、その中央に前記ストラップ本体４は通るが前記結び目５６が通らない開口孔径で結び目入り孔１８６と紐通り孔１８７を連絡する結び目止め孔１８８を有して結び目止め体１９を設けるとともに、
前記ストラップ本体４の端を紐通り孔１８７から前記結び目止め孔１８８および結び目入り孔１８６通しいれ該結び目入り孔１８６から出してその出た部位で前記結び目５２を形成し、この結び目５２を前記結び目入り孔１８６内に引き込み入れて、前記ストラップ本体４に前記携帯ストラップ用物品１８４を取り付けて携帯ストラップを形成することができ、且つ、前記ストラップ本体４を鋏、爪切り、カッターナイフなどの携帯ストラップ使用者の身近な切断手段で前記前記紐通し孔付き携帯品３の使用者自身が切断して、結び目入り孔１８６に入っている結び目５６を取り出し、新たなストラップ本体および前記携帯ストラップ用物品に１８４よって新たな携帯ストラップの形成を可能としている。
ここでは、０．８ｍｍの太さのストラップ本体４を通し、かつ、その1回結び（一つ結び）の結び目５２が結び目入り孔１８６に入るが結び目止め孔１８８は通ることができないようにするために、結び目入り孔１８６は孔径（直径）１．８ｍｍ〜２ｍｍ程度とし、結び目止め孔１８８は孔径１．２ｍｍとしている。
【００４６】
以下に述べる実施例にあっても本実施例と同様な使用態様であるので、以下に述べる実施例の説明ではその使用態様についての説明を省略する。
【実施例１８】
【００４７】
図２３に示す本発明の実施例１８において１９０は携帯ストラップ用取付物品であって、この携帯ストラップ用取付物品１９０は、レジンキャスト・コールドキャスト・ソフビ・塩ビなどのプラスチック製部材、ゴム製部材あるいは木製部材などからなるフィギアと呼ばれる人形からなる取付物品本体１９１にストラップ本体４の結び目５２が入る開口孔径の結び目入り孔１９２を、後頭部下方から斜め直線で頭頂部真ん中ないし吊下げバランスが良い位置になる頭頂部位に向けて貫通させず途中まであけ、さらに結び目入り孔１９２に真っ直ぐに連絡して頭頂部位に突き抜けさせた、ストラップ本体４は通るが結び目５６は通らないで止められる開口孔径の結び目止め孔１９３を設けた構成となっている。
フィギアの頭の位置や形態によって、顎ないし胸部位当たりから結び目入り孔１９２をあけるようにするのもよい。
また、空を飛ぶ姿勢や泳ぐ姿勢であるものは、その飛び・泳ぎ姿のバランスが得られるように胴部に結び目入り孔１９２および結び目止め孔１９３を形成するのもよい。
【実施例１９】
【００４８】
図２４に示す本発明の実施例１９において１９５は携帯ストラップ用取付物品であって、この携帯ストラップ用取付物品１９５は取付物品本体１９１にストラップ本体４の結び目５２が入る開口孔径の結び目入り孔１９２を、頭部一方の側面から頭部他方の側面に貫通させ、頭頂部から結び目入り孔１９２に向けてあけた結び目止め孔１９３が該結び目入り孔１９２に連絡されてなる構成となっている。
【実施例２０】
【００４９】
図２５に示す本発明の実施例２０において１９６は携帯ストラップ用取付物品であって、この携帯ストラップ用取付物品１９６はプラスチック製部材、ゴム製部材あるいは木製部材などからなる飛行物体を表現した取付物品本体１９７にストラップ本体４の結び目５２が入る開口孔径の結び目入り孔１９２を、胴部の底部から上方に向けて貫通させず途中まであけ、結び目入り孔１９２から胴部上部に貫通するように結び目止め孔１９３が形成された、結び目入り孔１９２と結び目止め孔１９３連絡されてなる構成となっている。
【実施例２１】
【００５０】
図２６に示す本発明の実施例２１においてリング形態の携帯ストラップ用取付物品１９９、２０２、２０４は次のような構成となっている。
＜図２６の（ａ）図＞
携帯ストラップ用取付物品１９９は、合成樹脂製部材のリング部位からなる取付物品本体２００と、この取付物品本体２００の上部に該取付物品本体２００と一体成形により外向きに突出設けられた紐吊り部２０１と、この紐吊り部２０１の底部側から真っ直ぐ上方に向けて貫通しない途中止めであけられた結び目入り孔１９２と、この結び目入り孔１９２から上方に向けて貫通された結び目止め孔１９３とからなっている。
＜図２６の（ｂ）図＞
携帯ストラップ用取付物品２０２、取付物品本体２００と、この取付物品本体２００の上部に該取付物品本体２００と一体成形により外向きに突出設けられた紐吊り部２０３と、この紐吊り部２０３の一方の側面から他方の側面に貫通されて形成された結び目入り孔１９２と、この結び目入り孔１９２から上方に向けて貫通された結び目止め孔１９３とからなっている。
＜図２６の（ｃ）図＞
携帯ストラップ用取付物品２０４は、リング部位を形成する取付物品本体２０５と、この取付物品本体２０５の上部に形成された紐吊り部２０６と、この紐吊り部２０６の一方の側面から他方の側面に貫通されて形成された結び目入り孔１９２と、この結び目入り孔１９２から上方に向けて貫通された結び目止め孔１９３とからなっている。
【実施例２２】
【００５１】
図２７に示す本発明の実施例２２において携帯ストラップ用取付物品２０８、２１０は次のような構成となっている。
携帯ストラップ用取付物品２０８は円球体からなる取付物品本体２０９と、この取付物品本体２０９に略中心を通るように且つ非貫通の途中止め形態であけられた結び目入り孔１９２と、この結び目入り孔１９２からその延長線上で真っ直ぐに貫通された結び目止め孔１９３とからなっている。
携帯ストラップ用取付物品２１０は楕円球体からなる取付物品本体２１１と、この取付物品本体２１１にその長手方向で略中心を通るように且つ非貫通の途中止め形態であけられた結び目入り孔１９２と、この結び目入り孔１９２からその延長線上で真っ直ぐに貫通された結び目止め孔１９３とからなっている。
【実施例２３】
【００５２】
図２８に示す本発明の実施例２３において、店先において、いろいろなカラーや模様の多数の５０ｃｍ〜１００ｃｍ程度のストラップ本体４と、多数の携帯ストラップ用取付物品（ここでは、大きさのことなる携帯ストラップ用取付物品４０、８５、１８４、１９０、１９９、２０２、２０４、２０８、２１０）が並べられ、好みの色のストラップ本体と好みの携帯ストラップ用取付物品を多種類の中から選択し、それらを組み合わせて購入者ないしそれを貰った者などが、好みのストラップ本体の長さと好みの携帯ストラップ用取付物品の組み合わせで、携帯ストラップ用取付物品の結び目入り孔および結び目止め孔１９３にストラップ本体を通し一つ結びの結び目５２を形成し、結び目５２から出た余分な部分を鋏や爪切りなどの身近な切断手段で切断して、結び目５２を結び目入り孔に引き込みいれることによって、結び目の隠れた携帯ストラップを、簡単容易に作成できる。
携帯ストラップの紐通し孔付き携帯品への取り付けは、該携帯ストラップを形成してから、潜らせループを形成しての後付で取り付けることも可能であるし、また、先に紐通し孔付き携帯品の紐通し孔にストラップ本体を通した携帯品孔紐通し状態としておいて、携帯ストラップ用取付物品をストラップ本体に取り付けるという、携帯ストラップの形成がそのまま紐通し孔付き携帯品への取り付けとなる形成と取り付けが同時に行われる取り付け方法かのうである。
【００５３】
すなわち、
携帯ストラップを取り付けるための紐通し孔を備えた主に携帯電話、携帯スマートホン、携帯デジタルカメラなどの携帯電子機器ないし該携帯電子機器の携帯ケースなどの紐通し孔付き携帯品に、携帯ストラップを形成しながら同時に取り付けも実現する携帯ストラップの形成取付方法であって、
前記紐通し孔を通らない形態の第１の取付物品本体に前記ストラップ本体の結び目が入る開口孔径の第１の結び目入り孔を設け、前記第１の結び目入り孔に連絡した前記ストラップ本体は通るが前記結び目が通らない開口孔径の第１の結び目止め孔を設けてなる第１の携帯ストラップ用取付物品、
前記紐通し孔を通らない形態の第２の取付物品本体に前記ストラップ本体の結び目が入る開口孔径の第２の結び目入り孔を設け、前記第２の結び目入り孔に連絡した前記ストラップ本体は通るが前記結び目が通らない開口孔径の第２の結び目止め孔を設けてなる第２の携帯ストラップ用取付物品、
前記ストラップ本体を前記紐通し孔に通した携帯品孔紐通し状態とし、
前記ストラップ本体の一方の側を前記第１の結び目止め孔から入れ前記第１の結び目入り孔から出して、該第１の結び目入り孔から出た部位で第１の結び目を形成し、この第１の結び目を前記第１の結び目入り孔内に引き込み入れて、前記ストラップ本体の一方の側に前記第１の携帯ストラップ用取付物品を取り付けた第１の物品取り付け状態を形成し、前記ストラップ本体の他方の側を前記第２の結び目止め孔から入れ前記第２の結び目入り孔から出してその出た部位で第２の結び目を形成し、この第２の結び目を前記第２の結び目入り孔内に引き込み入れて、前記ストラップ本体の他方の側に前記第２の携帯ストラップ用取付物品を取り付けた第２の物品取り付け状態の形成によって、携帯ストラップの形成と該携帯ストラップの前記紐通し孔付き携帯品への取り付けを実現するとともに、
前記ストラップ本体を鋏、爪切り、カッターナイフなどの身近な切断手段で切断して、前記紐通し孔付き携帯品から前記携帯ストラップを取り外し、前記第１の結び目入り孔に入っている第１の結び目および前記第２の結び目入り孔に入っている第２の結び目を取り出し、
新たなストラップ本体、前記第１の携帯ストラップ用取付物品および前記第２の携帯ストラップ用取付物品とによる、前記新たなストラップ本体、前記第１の携帯ストラップ用取付物品および前記結び目が入る開口孔径の第３の結び目入り孔とこの第３の結び目入り孔に連絡した前記結び目が通らない開口孔径の第３の紐通し孔とからなる第３の携帯ストラップ用取付物品とによる、あるいは新たなストラップ本体、前記第２の携帯ストラップ用取付物品および前記第３の携帯ストラップ用取付物品とによる、新たな携帯ストラップの形成と前記紐通し孔付き携帯品への取り付けを同時に可能としたことを特徴とした携帯ストラップの形成取付方法を実現するものである。
【００５４】
また、ストラップ本体に第１の携帯ストラップ用取付物品あるいは第２の携帯ストラップ用取付物品のいずれか一方を取り付けた状態にしてから携帯品孔紐通し状態として、前記第２の携帯ストラップ用取付物品あるいは前記第１の携帯ストラップ用取付物品の取り付けていない方を取り付ける携帯ストラップの形成取付方法とするのもよい。
【００５５】
以下の実施例において、携帯ストラップの形成取付方法の事例を説明する。
【実施例２４】
【００５６】
図２９、図３０に示す本発明の実施例２４において、ストラップ本体４と、携帯ストラップ用取付物品２０８、携帯ストラップ用取付物品２１０を揃える。（図２９の（ａ）図）
ストラップ本体４を折り畳んで紐通し孔付き携帯品３の紐通し取り付け孔Ｂに通し、抜け出た部位を広げて潜らせループを形成して、この潜らせループに対向側に出ている二本のストラップ４部位を潜らせ、引いて潜らせループを縮小締めてストラップ本体を紐通し孔に通した携帯品孔紐通し状態とする。（図２９の（ｂ）図）
ストラップ本体４の一方の側を携帯ストラップ用取付物品２０８の結び目止め孔１９３から結び目入り孔１９２に入れ出して、好みの箇所に１回結び目（一結び目）である結び目５２を形成し、ストラップ本体４の他方の側を携帯ストラップ用取付物品２１０の結び目止め孔１９３から結び目入り孔１９２に入れ出して、好みの箇所に結び目５２を形成する。（図２９の（ｃ）図）（このような取り付け作業を、以下「紐通し結び目形成作業」という。）
ストラップ本体４の結び目５２、５２を残して余分な部位を鋏、爪切りあるいはカッターなどで切断し、あるいは、切断せずそのまま、携帯ストラップ用取付物品２０８、２１０の結び目入り孔１９２内に引き込んで携帯ストラップ２１３を形成し、同時に紐通し孔付き携帯品３への該携帯ストラップ２１３の取り付けを完了する。（図２９の（ｄ）図）
紐通し孔付き携帯品３の携帯ストラップ２１３の取り付け状態（図２９の（ｄ）図＝図３０の（ｄ）図）から、ストラップ本体４を切断して該ストラップ本体４を紐通し孔付き携帯品３から外し（ストラップ本体４の長さが足りそのままの付け方で良いなら外さなくてもよい）、携帯ストラップ用取付物品２０８、２１０内の結び目５２を結び目止め孔１９３側から針金クリップを延ばしたもの、爪楊枝を削ったもの、針あるいは細針金など身近なもので突き出す。（図３０の（ｅ）図）
【００５７】
ストラップ本体４（新たなストラップ本体）を紐通し孔付き携帯品３の紐通し取り付け孔Ｂに（図２９の（ｂ）図）と同様の携帯品孔紐通し状態とし、（ストラップ本体４の長さが足りそのままの付け方で良いなら外さなくてもよい（このストラップ本体も「新たなストラップ本体」の範疇）、ストラップ本体４の一方の側に携帯ストラップ用取付物品２１０を図２９の（ｃ）図）と同様に、他方の側に携帯ストラップ用取付物品２０８を（図２９の（ｃ）図）と同様に取り付けるとともに、携帯ストラップ用取付物品２０８側の結び目５２からは長くストラップ本体部分を残して、この残した部位に携帯ストラップ用取付物品１９０を該携帯ストラップ用取付物品１９０の結び目止め孔１９３から結び目入り孔１９２にストラップ本体を通し出して、出た部位に結び目５２を作る。（図３０の（ｆ−１）図）
携帯ストラップ用取付物品２０８、２１０、１９０の結び目入り孔１９２にそれぞれ結び目５２を引き込み隠し（結び目５０から出た余分な部位は切断除去して）、携帯ストラップ２１４を形成し、同時に紐通し孔付き携帯品３への該携帯ストラップ２１４の取り付けを完了する。（図３０の（ｆ−２）図）
【００５８】
あるいは、切断し紐通し孔付き携帯品３から外した残ったストラップ本体である新たなストラップ本体４を、一本状態のまま紐通し孔付き携帯品３の紐通し取り付け孔Ｂに通し、一方の側（紐通し孔付き携帯品３側）に携帯ストラップ用取付物品４０を、その結び目止め孔５０から入れ結び目入り孔４９から出して、出た部位に１回結び目の結び目５２を作り、余分な部位を切り離し、他方の側に携帯ストラップ用取付物品２１０を図２９の（ｃ）図）と同様にして取り付け、余分な部位を切り離し、結び目入り孔４９、結び目入り孔１９２にそれぞれ結び目５２を引き込み入れ隠し、携帯ストラップ２１５を形成し同時に該携帯ストラップ２１５の紐通し孔付き携帯品３への取り付けを実現する。
【実施例２５】
【００５９】
図３１に示す本発明の実施例２５に示す携帯ストラップの形成取付方法（手順）は、紐通し取り付け孔Ｂにストラップ本体４の一方の側を通し、その一方の側を携帯ストラップ用取付物品８５の結び目入り孔９０に通し抜きだし、抜き出した一方の側を再び紐通し取り付け孔Ｂに戻し通しして、その一方の側に携帯ストラップ用取付物品２０８を、他方の側に携帯ストラップ用取付物品１８４を紐通し結び目形成作業により取り付ける。（図３１の図（ｂ））
結び目５２を携帯ストラップ用取付物品２０８、１８４の結び目入り孔９０内に引き込み入れ隠し、携帯ストラップ２１６の形成と該携帯ストラップ２１６の紐通し孔付き携帯品３への取り付けを同時に実現する。（図３１の図（ｃ））
【００６０】
図３１の図（ｄ）に示すように、携帯ストラップ用取付物品８５に変えて、単なる１．２ｍｍほどのストレート孔があいている４ｍｍ〜６ｍｍ程度の小さなビーズ２１７を用いるのも良い。
【実施例２６】
【００６１】
図３２に示す本発明の実施例２６に示す携帯ストラップの形成取付方法は、ストップ本体４に摩擦移動可能に取り付けられかつ好みの位置でその弾性摩擦力によって止め置くことができる、シリコンゴム製部材で一方が交差携帯とされた針金バネを内設した摩擦移動ストッパー２０８を設けるないし設けたもの予め用意する。（図３２の図（ａ））
紐通し取り付け孔Ｂにストラップ本体４の一方の側と他方の側を通して携帯品孔紐通し状態とし、摩擦移動ストッパー２０８が紐通し取り付け孔Ｂから抜け無いようにし、ストラップ本体４の一方の側に、携帯ストラップ用取付物品１９９を紐通し結び目形成作業により取り付け、携帯ストラップ用取付物品１９９にストラップ本体４の他方の側を通し、該他方の側に携帯ストラップ用取付物品２０８を紐通し結び目形成作業により取り付ける。（図３２の図（ｂ））
結び目５２を携帯ストラップ用取付物品１９９、２０８の結び目入り孔１９２に引き込み隠して携帯ストラップ２１９を完成（形成）させるとともに、該完成（形成）がそのまま該携帯ストラップ２１９の紐通し孔付き携帯品３への取り付け完了となる。（図３２の図（ｅ））
トラップ本体４の一方の側に、携帯ストラップ用取付物品１９９を摘み摩擦移動ストッパー２０８の摩擦抵抗に抗して引っ張るとストラップ本体４は移動し、携帯ストラップ用取付物品２０８と紐通し孔付き携帯品３との距離は短くなってその状態が固定され、携帯ストラップ用取付物品２０８を摘み摩擦移動ストッパー２０８の摩擦抵抗に抗して引っ張るとストラップ本体４は移動し、携帯ストラップ用取付物品２０８と紐通し孔付き携帯品３との距離は長くなりその状態が固定される。これによって、例えば、紐通し孔付き携帯品３をショルダーバックに入れて携行する場合、携帯ストラップ用取付物品２０８を該ショルダーバックの口から外に垂れ下げるちょうど良い位置となるように調節できる。
また、携帯ストラップ用取付物品１９９はリングであるので、他の飾りを吊り下げることが簡単容易に行える。
【実施例２７】
【００６２】
図３３に示す本発明の実施例２７に示す携帯ストラップの形成取付方法は、紐通し取り付け孔Ｂにストラップ本体４の一方の側を通して携帯品孔紐通し状態とし、ストラップ本体４の一方の側に、携帯ストラップ用取付物品４０を紐通し結び目形成作業により取り付け、他方の側に携帯ストラップ用取付物品２１０を紐通し結び目形成作業により取り付ける。（図３３の図（ｂ））
結び目５２を携帯ストラップ用取付物品４０、２１０の結び目入り孔４９、１９２に引き込み隠して携帯ストラップ２２０を完成（形成）させるとともに、該完成（形成）がそのまま該携帯ストラップ２２０の紐通し孔付き携帯品３への取り付け完了となる。（図３３の図（ｃ））
【実施例２８】
【００６３】
図３４に示す本発明の実施例２８に示す携帯ストラップの形成取付方法は、ストラップ本体４０の一方の側に携帯ストラップ用取付物品４０を紐通し結び目形成作業により取り付け、紐通し取り付け孔Ｂにストラップ本体４の他方の側を通して携帯品孔紐通し状態とし、他方の側に携帯ストラップ用取付物品１９０を紐通し結び目形成作業により取り付ける。（図３４の図（ｂ））
結び目５２を携帯ストラップ用取付物品４０、２１０の結び目入り孔４９、１９２に引き込み隠して携帯ストラップ２２１を完成（形成）させるとともに、該完成（形成）がそのまま該携帯ストラップ２２１の紐通し孔付き携帯品３への取り付け完了となる。（図３４の図（ｃ））
【実施例２９】
【００６４】
図３５に示す本発明の実施例２９に示す携帯ストラップの形成取付方法は、ストラップ本体４０の一方の側に携帯ストラップ用取付物品８５を紐通し結び目形成作業により取り付け、紐通し取り付け孔Ｂにストラップ本体４の他方の側を通して携帯品孔紐通し状態とし、他方の側に携帯ストラップ用取付物品１８４ａを通し結び目５２ａを作り、次に携帯ストラップ用取付物品１８４ｂを通し結び目５２ｂを作り、次に携帯ストラップ用取付物品１８４ｃを通し結び目５２ｃを作りという紐通し結び目形成作業により取り付ける。（図３５の図（ｂ））
結び目５２ａ、５２ｂ、５２ｃを携帯ストラップ用取付物品１８４ａ、１８４ｂ、１８４ｃ結び目入り孔４９、１９２に引き込み隠し、結び目５２を携帯ストラップ用取付物品８５の結び目入り孔９０に引き込み隠して携帯ストラップ２２２を完成（形成）させるとともに、該完成（形成）がそのまま該携帯ストラップ２２２の紐通し孔付き携帯品３への取り付け完了となる。（図３５の図（ｃ））
【実施例３０】
【００６５】
図３６に示す本発明の実施例３０に示す携帯ストラップの形成取付方法は、ストラップ本体４０の一方の側を紐通し取り付け孔Ｂに通して携帯品孔紐通し状態とし、その一方の側ないし他方の側をリング２２３に通しさらに紐通し取り付け孔Ｂに通し、その通しを３〜４重巻程度にして最後の巻を交差（１回縛り）させて締めた重巻部位２２４を形成し、該重ね巻部位２２４によってリング２２３を紐通し孔付き携帯品３に当接固定状態にする。（図３６の図（ｂ））
一方の側に携帯ストラップ用取付物品１８４ａを通し結び目５２ａ（図示せず省略）を作り、他方の側に携帯ストラップ用取付物品１８４ｂを通し結び目５２ｂを作りという紐通し結び目形成作業により取り付け、結び目５２ａ、５２ｂ、携帯ストラップ用取付物品１８４ａ、１８４ｂの結び目入り孔１９２に引き込み隠して携帯ストラップ２２５を完成（形成）させるとともに、該完成（形成）がそのまま該携帯ストラップ２２５の紐通し孔付き携帯品３への取り付け完了となる。（図３６の図（ｃ））
リング２２３には他の携帯ストラップあるいは飾りを吊り下げることができる。
【実施例３１】
【００６６】
図３７に示す本発明の実施例３１に示す携帯ストラップの形成取付方法は、ストラップ本体４０の一方の側を紐通し取り付け孔Ｂに通して携帯品孔紐通し状態とし、その一方の側に紐通し結び目形成作業により一方の携帯のストラップ用取付物品４０を取り付け通し結び目５２を作り、他方の側を飾り２２６のヒートン金具２２７に通し、該他方の側に紐通し結び目形成作業により他方の携帯ストラップ用取付物品４０を取り付けを通し結び目５２を作り、結び目５２を携帯ストラップ用取付物品４０、４０の結び目入り孔４９に引き込み隠して携帯ストラップ２２２２８を完成（形成）させるとともに、該完成（形成）がそのまま該携帯ストラップ２２８の紐通し孔付き携帯品３への取り付け完了となる。（図３７の図（ｃ））
【実施例３２】
【００６７】
図３８に示す本発明の実施例３１に示す携帯ストラップの形成取付方法において、前記実施例２４と主に異なる点は、潜らせループを形成せず、ストラップ本体４一方の側を紐通し取付け孔に通し３〜４通し回しての重巻部位２２４を形成し、最後の巻を一方の側と他方の側を交差させた（１回縛り）形態で携帯品孔紐通し状態とした携帯ストラップ２２９を形成した点にある。
【実施例３３】
【００６８】
図３９に示す本発明の実施例３３において、２３０は携帯品取付物品であり、２３５は携帯品取付物品である。
【００６９】
携帯品取付物品２３０は、
略板形態の取付物品本体２３１と、
この取付物品本体２３１の一方の側面から他方の側面に向けて貫通されたストラップ本体４（紐）の１回結び目である結び目５２が入る開口孔径の結び目入り孔２３２と、
この結び目入り孔２３２に取付物品本体２３１の側面から略Ｔ字形の交差形態で連絡し、前記ストラップ本体４（紐）は通るが前記結び目５２は通らない開口孔径の結び目止め孔２３３ａ、２３３ｂとからなっている。
結び目止め孔２３３ａ、２３３ｂと２箇所設けられているので、例えば、ループ紐を形成するときに、その両端の先端結び目は結び目入り孔に入り隠れた景観となるので、見た目のよいループを形成できるという効果を奏する。
【００７０】
携帯品取付物品２３５は、
略板形態の取付物品本体２３４と、
この取付物品本体２３４の一方の側面から他方の側面に向けて貫通されたストラップ本体４（紐）の１回結び目である結び目５２が入る開口孔径の結び目入り孔２３２と、
この結び目入り孔２３２に取付物品本体２３４の側面から略Ｔ字形の交差形態で連絡し、前記ストラップ本体４（紐）が２本通るが前記結び目５２は通らない開口孔径の結び目止め孔２３５とからなっている。
結び目止め孔は一つでストラップ本体４（紐）が１本しか通らない開口孔径でもよい。
【００７１】
＜付記＞
＜技術分野＞
付記の発明は、紐通し取付孔を有する携帯電話あるいは該携帯電話の携帯ケースである紐通し孔付き携帯品に、細紐（ストラップ本体）を前記紐通し取付孔に通し取り付ける携帯ストラップに使用する携帯ストラップ用取付物品を除く、紐に取り付けるエンドストパーである取付物品に関する。
＜従来技術＞
従来の紐のエンドストッパー（取付物品）として、ヒンジ部と、このヒンジ部の一方の側に設けられた、一方の係合部本体、この一方の係止本体に形成された紐が嵌る一方の溝、この一方の溝内に突出された紐を押さえ付ける一方の鋸刃状部とからなる一方の係合部と、前記ヒンジ部の他方の側に設けられた、他方の係合部本体、この他方の係合部本体に形成された紐が嵌る他方の溝、この他方の溝内に突出された紐を押さえ付ける他方の鋸刃状部とからなる他方の係合部と、前記一方の係合部に設けられた一方の嵌合部と、この一方の嵌合部に嵌め殺し形態で嵌合する前記他方の係合部に設けられた他方の嵌合部とからなるとともに、
紐の先端を一方の係合部と他方の係合部とで紐を抜けないように噛み押さえ挟持した状態で嵌め殺し固定状態にする取付物品（エンドストッパー）が知られている。（例えば特許文献１）
＜特許文献１＞特開平10-174607号公報
＜比特許文献＞特になし
＜解決しようとする課題＞
上述した従来技術は次に述べるような欠点を有するものであった。
（１）嵌め殺し固定するものであったので、容易に取り外すことができない、外した場合は嵌合機能が失われたり、弱くなるものであったので、繰り返しの使用ないし数回の繰り返しの使用後は使用できなくなるという欠点を有するものであった。
（２）取付後は、紐の長さを短くすることができ難いという欠点を有するものであった。
＜付記の発明の効果＞
[付記１]
取付物品本体と、
この取付物品本体の一方の側面から他方の側面に向けて貫通された紐の結び目が入る開口孔径の結び目入り孔と、
この結び目入り孔に略Ｔ字形の交差形態で該結び目入り孔に連絡された、前記紐は通るが前記結び目は通らない開口孔径の結び目止め孔とからなることを特徴とする取付物品であるので、次に述べるような効果を奏する。
すなわち、
紐を切断して結び目入り孔に棒を付き入れ結び目を簡単容易に取り出すことができるので、何回でも使用することができるという効果を奏する。
また、紐に取付後に紐が長い場合には、結び目を出し好みの長さとなる位置に新たな結び目を作り、余分な紐部位を切断し新たな結び目を結び目入り孔に引き込むことにより隠し、好みの紐の長さに簡単容易にできるという効果を奏する。
[付記２]
結び目止め孔が２箇所ないし紐が２本通る開口孔形態であることを特徴とする付記１に記載の取付物品であるので、付記１に記載の発明と同様な効果を奏するとともに、例えば、ループ紐を形成するときに、その両端の先端結び目は結び目入り孔に入り隠れた景観となるので、見た目のよい紐ループを形成できるという効果を奏する。
[付記３]
取付物品本体が略板状形態であり、結び目止め孔が前記取付物品本体の側面部位から結び目入り孔に交差形態で連絡されたことを特徴とする付記１、２のいずれかに記載の取付物品であるので、付記１、２のいずれかに記載の発明と同様な効果を奏するとともに、取付物品が垂れ下がった状態では、結び目止め孔のある側面が常に上になり、結び目入り孔の両開口は横に位置することになるので、常に取付物品本体の板状面が正面を向くことを実現するという効果を奏する。
これにより、正面を向く板状面に模様、絵柄、ロゴなどを印刷、凸凹で表現したものにして、露出された状態では看者にそれが常に見えるようにできる。
[付記４]結び目入り孔への結び目止め孔の連絡形態が略Ｔ字形の交差形態であることを特徴とする付記１〜３に記載の取付物品であるので、このような構成としても付記１〜３に記載の発明と同様な効果を奏する。
＜実施の形態＞
付記の発明の実施例は、前記した各実施例の携帯ストラップ用取付物品を取付物品に置き換え、ストラップ本体４を紐４に置き換えて説明することができる。紐４は紐通し孔付き携帯品３の紐通し取り付け孔Ｂを通らない太さ、一般的には使用されない太さのものであり、例えば１．５ｍｍ以上の太さのものである。
【００７２】
付記発明Ｂは以上のような従来技術の欠点に鑑み、主に携帯電話、スマートホンなどの携帯電子機器、該携帯電子機器の携帯ケースなどの携帯品で、ストラップ本体を通して取り付けるための紐通し孔を有する紐通し孔付き携帯品にストラップを取り付ける紐通し孔付き携帯品へのストラップの取付方法において、携帯ストラップの使用者が身近にある鋏、爪切り、カッターなどの切断手段と使用者自信の極めて簡単容易な手作業とによって、携帯ストラップの形成および取り付けが同時に行えるとともに、ストラップ本体の長さを好みの長さにすることを可能とし、前記切断手段と別体のストラップ本体があればストラップの飾りや潜らせストッパーを多様な他の飾りや潜らせストッパーと組み合わせて、異なるストラップを形成してストラップを形成しながら取り付けることを簡単容易にできことを可能とする携帯ストラップの形成取付方法、携帯ストラップ用取付物品、携帯ストラップ並びに携帯ストラップの使用方法を提供することを第１の目的としている。
また、付記発明Ｂは、上記第１の目的を実現するとともに、紐通し孔付き携帯品に当接状態にあって、看者に向くその正面が紐通し孔の無いことで見た目に違和感の無い形態の携帯ストラップ用取付物品を提供することを目的としている。
ストラップ本体の結び目によって抜けなくしての取り付け形態を実現するとともに、紐通し孔付き携帯品に密着あるいは当接した状態において正面に紐通し孔の開口が位置しない、見えないないし見えにくい携帯ストラップ用取付物品、ストラップキット、ストラップおよびストラップの使用方法を提供することを第１の目的としている。
また、付記発明Ｂの第２の目的は、ストラップ本体（紐）が切断予兆部が生じたら、その切断予兆部を解消して使用し続けることを可能とする携帯ストラップ用取付物品、ストラップキット、ストラップおよびストラップの使用方法を提供することを目的としている。
＜付記Ｂ１記載の発明の効果＞
携帯ストラップを取り付けるための紐通し孔を備えた主に携帯電話、携帯スマートホン、携帯デジタルカメラなどの携帯電子機器ないし該携帯電子機器の携帯ケースなどの紐通し孔付き携帯品に、携帯ストラップを形成しながら同時に取り付けも実現する携帯ストラップの形成取付方法であって、
前記紐通し孔を通らない形態の第１の取付物品本体に前記ストラップ本体の結び目が入る開口孔径の第１の結び目入り孔を設け、前記第１の結び目入り孔に連絡した前記ストラップ本体は通るが前記結び目が通らない開口孔径の第１の結び目止め孔を設けてなる第１の携帯ストラップ用取付物品、
前記紐通し孔を通らない形態の第２の取付物品本体に前記ストラップ本体の結び目が入る開口孔径の第２の結び目入り孔を設け、前記第２の結び目入り孔に連絡した前記ストラップ本体は通るが前記結び目が通らない開口孔径の第２の結び目止め孔を設けてなる第２の携帯ストラップ用取付物品、
前記ストラップ本体を前記紐通し孔に通した携帯品孔紐通し状態とし、
前記ストラップ本体の一方の側を前記第１の結び目止め孔から入れ前記第１の結び目入り孔から出して、該第１の結び目入り孔から出た部位で第１の結び目を形成し、この第１の結び目を前記第１の結び目入り孔内に引き込み入れて、前記ストラップ本体の一方の側に前記第１の携帯ストラップ用取付物品を取り付けた第１の物品取り付け状態を形成し、前記ストラップ本体の他方の側を前記第２の結び目止め孔から入れ前記第２の結び目入り孔から出してその出た部位で第２の結び目を形成し、この第２の結び目を前記第２の結び目入り孔内に引き込み入れて、前記ストラップ本体の他方の側に前記第２の携帯ストラップ用取付物品を取り付けた第２の物品取り付け状態の形成によって、携帯ストラップの形成と該携帯ストラップの前記紐通し孔付き携帯品への取り付けを実現するとともに、
前記ストラップ本体を鋏、爪切り、カッターナイフなどの身近な切断手段で前記前記紐通し孔付き携帯品の使用者自身が切断して、前記紐通し孔付き携帯品から前記携帯ストラップを取り外し、前記第１の結び目入り孔に入っている第１の結び目および前記第２の結び目入り孔に入っている第２の結び目を取り出し、
新たなストラップ本体、前記第１の携帯ストラップ用取付物品および前記第２の携帯ストラップ用取付物品とによる、前記新たなストラップ本体、前記第１の携帯ストラップ用取付物品および前記結び目が入る開口孔径の第３の結び目入り孔とこの第３の結び目入り孔に連絡した前記結び目が通らない開口孔径の第３の紐通し孔とからなる第３の携帯ストラップ用取付物品とによる、あるいは新たなストラップ本体、前記第２の携帯ストラップ用取付物品および前記第３の携帯ストラップ用取付物品とによる、新たな携帯ストラップの形成と前記紐通し孔付き携帯品への取り付けを同時に可能としたことを特徴とした携帯ストラップの形成取付方法であるので次に述べるような効果を奏する。
すなわち、
（１）携帯ストラップの使用者自身の身近な切断手段とストラップ本体に結び目を作るという簡単容易な手作業だけによって、ストラップ本体を紐通し孔付き携帯品に紐通し孔に通した携帯品孔紐通し状態とし（通し方は、１本そのまま通す、下り合わせて通し出た部位の潜らせループを広げそれに二股となった２本紐部位を通すなどがある。）、前記ストラップ本体の一方の側を前記第１の結び目止め孔から入れ前記第１の結び目入り孔から出して、該第１の結び目入り孔から出た部位で第１の結び目を形成し、この第１の結び目を前記第１の結び目入り孔内に引き込み入れて、前記ストラップ本体の一方の側に前記第１の携帯ストラップ用取付物品を取り付けた第１の物品取り付け状態を形成し、前記ストラップ本体の他方の側を前記第２の結び目止め孔から入れ前記第２の結び目入り孔から出してその出た部位で第２の結び目を形成し、この第２の結び目を前記第２の結び目入り孔内に引き込み入れて、前記ストラップ本体の他方の側に前記第２の携帯ストラップ用取付物品を取り付けた第２の物品取り付け状態の形成によって、携帯ストラップの形成と該携帯ストラップの前記紐通し孔付き携帯品への取り付けを実現するものであるので、身近な切断手段による切断と結び目を作るという使用者自信の極めて簡単容易な手作業によって、携帯ストラップの形成と該携帯ストラップの紐通し孔付き携帯品の取り付けをその携帯ストラップの形成作業によって同時に実現するという効果を奏する。
さらに、ストラップ本体の切断による携帯ストラップの取り外し、結び目の携帯ストラップ用取付物品からの取り外し除去（針金クリップを伸ばしたもの、細い針金、縫い針、マッチ棒や爪楊枝を細くしたものなどで押し出す）し、そのストラップ本体ないし新たなストラップ本体に他の携帯ストラップ用取付物品と組み合わせたり、ストラップ本体の長さを変えての新たな携帯ストラップを形成することも、身近な切断手段による切断と結び目を作るという使用者自信の極めて簡単容易な手作業によって実現するという効果を奏する。
（２）上記携帯ストラップ作成作業においては、ストラップ本体の長さは、切断によってあるいは結び目の形成位置によって、その長さを好みの長さにすることができるものであり、最初は長めにしておいて、携帯品に取り付けてその長さを見て、長いようであったら、結び目をほどくか、切断して、異なる位置に結び目を形成して、好みのストラップ本体の長さの携帯ストラップを実現するという効果を奏する。
（３）店先に、形態、色などが異なる多数の種類の携帯ストラップ用取付物品を置き、多様な色と長さのストラップ本体を別体で置き、購入者が好みの携帯ストラップ用取付物品を求め、好みのストラップ本体を求め、購入者やそれを貰うなどした者が好みのストラップの長さで、好みの携帯ストラップ用取付物品の組み合わせで、ストラップ本体の紐通し孔付き携帯品の紐通し孔への好みの通し方で通し、携帯ストラップ用取付物品を取り付けることによって、携帯ストラップ使用者が好みの携帯ストラップを、身近な切断手段による切断と結び目を作るという使用者自信の極めて簡単容易な手作業で、形成と取り付けを同時に実現できるというような、販売方法を実現するという効果を奏する。
店先に、鋏、爪切り、針金クリップなどを置くことにより、購入後にその場で即に携帯ストラップの作成取り付けを実現させることも可能とする。
（４）また、紐であるストラップ本体の紐通し孔付き携帯品の紐通し孔への通し方は、１本通し取り付け、折り畳通し潜らせループ潜らせ取り付け、１本通し複数巻通し取り付けなど多様な取り付け形態があるが、例えば、１本通し複数巻通し取り付けでリングにもストラップ本体を同時に２〜４回の複数巻とし最後を紐同士を交差させたて通すことによって、リングを携帯品に密着固定した取り付け形態を実現することもできる。
このリングに、いくつもの携帯ストラップを取り付けることが可能となる。
本発明は、携帯ストラップの形成（作成）が作業そのものが、紐通し孔付き携帯品への該携帯ストラップの取付の取付操作であり、携帯ストラップの形成が紐通し孔付き携帯品への携帯ストラップの取付完了とするところを、発明の技術的思想としているところにあるものである。

＜付記Ｂ２記載の発明の効果＞
ストラップ本体に第１の携帯ストラップ用取付物品あるいは第２の携帯ストラップ用取付物品のいずれか一方を取り付けた状態にしてから携帯品孔紐通し状態として、前記第２の携帯ストラップ用取付物品あるいは前記第１の携帯ストラップ用取付物品の取り付けていない方を取り付けることを特徴とする付記Ｂ１記載の携帯ストラップの形成取付方法であるので、このようにしても付記Ｂ１記載の発明と同様な効果を奏する。

＜付記Ｂ３記載の発明の効果＞
携帯ストラップを取り付けるための紐通し孔を備えた主に携帯電話、携帯スマートホン、携帯デジタルカメラなどの紐通し孔付き携帯品の、前記紐通し孔に通る太さであるストラップ本体、このストラップ本体に取り付けられて該ストラップ本体とで携帯ストラップを形成する携帯ストラップ用取付物品であって、
前記紐通し孔を通らない形態の取付物品本体に前記ストラップ本体の結び目が入る開口孔径の結び目入り孔を設け、前記結び目入り孔に連絡した前記ストラップ本体は通るが前記結び目が通らない開口孔径の結び目止め孔を設けてなるとともに、
前記ストラップ本体の端を前記結び目止め孔から入れ前記結び目入り孔から出してその出た部位で前記結び目を形成し、この結び目を前記結び目入り孔内に引き込み入れて、前記ストラップ本体に前記携帯ストラップ用物品を取り付けて携帯ストラップを形成することができ、かつ、前記ストラップ本体を鋏、爪切り、カッターナイフなどの携帯ストラップ使用者身近な切断手段で前記前記紐通し孔付き携帯品の使用者自身が切断して、結び目入り孔に入っている結び目を取り出し、新たなストラップ本体および前記携帯ストラップ用物品によって新たな携帯ストラップの形成を可能としたことを特徴とする携帯ストラップ用取付物品であるので次に述べるような効果を奏する。
すなわち、
付記Ｂ１記載の携帯ストラップ用取付物品と同様な構成であるので、付記Ｂ１記載の発明の携帯ストラップの形成取付方法を実現するという効果を奏する。

＜付記Ｂ４記載の発明の効果＞
紐通し孔の開口孔径が略１．５ｍｍ程度以下であることを特徴とする付記Ｂ２記載の携帯ストラップ用取付物品である。
付記Ｂ１記載の携帯ストラップ用取付物品と同様な構成であるので、付記Ｂ１記載の発明の携帯ストラップの形成取付方法を実現するという効果を奏する。

＜付記Ｂ５に記載の発明の効果＞
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
前記物品当接可能箇所側から前記結び目入り孔に交差形態で連絡されかつ前記正面部位には非貫通とされた、前記ストラップ本体を通しかつ前記結び目を通さない開口孔径の結び目止め孔とからなることを特徴とする携帯ストラップ用取付物品である。
すなわち、結び目入り孔、結び目止め孔を通されたストラップ本体の結び目入り孔側の先端に結び目を作り、結び目止め孔からストラップ本体を引っ張って結び目を結び目入り孔に引き込む。結び目は結び目止め孔部位で止まり取り付けは完了する。
「紐通し孔付き携帯品に当接可能箇所である物品当接可能箇所」には、直接当接する形態、ストラップ本体を間に挟んで当接する形態をその技術的範疇に含むものである。
「結び目入り孔」、「結び目止め孔」の形態には溝形態もその技術的範疇に含むものである。
「ストラップ本体」には、組紐、釣り糸などに使用されるテグス、合成樹脂製紐、ゴム製紐、編組編み紐など多様なものがある。

正面部位には孔は存在しないので、孔の開口および結び目が正面からは見える紐がない。これによって、動物の顔、マークなどのアクセント要素を正面に施してその面が正面を向く違和感のなく、むしろアクセント、飾り、広告効果などをもたらす携帯ストラップ用取付物品を実現するという効果を奏する。
また、結び目入り孔、結び目止め孔にストラップ本体を通し、結び目入り孔側のストラップ本体部位に結び目を形成して、当接開口側にストラップ本体を引っ張って結び目を結び目入り孔内に引き込むという操作だけで簡単に取り付けることができるとともに、紐であるストラップ本体は携帯ストラップ使用者の身近にある爪切り、鋏、カッターなどの身近な切断手段で切断し携帯ストラップ用取付物品を取り外して、他の携帯ストラップ用取付物品に該ストラップ本体を通し結び目を形成し取り付け替えることも使用者が簡単容易に行える、またストラップ本体を別の長さやカラーのものに取り替えることも身近な切断手段と結び目を作るという使用者自信の極めて簡単容易な手作業に行えるという効果を奏する。
また、ストラップ本体（紐）に切断予兆部が生じたら、切断予兆部以来を切り離し、携帯ストラップ用取付物品の結び目入り孔内に残っている結び目を、細い棒部材（針金クリップを伸ばしたものや、針、爪楊枝をカッター等で細くしたものなど）を結び目入り孔に挿入して結び目を出し、次に、結び目止め孔から切断したストラップ本体を挿入して結び目を入り孔から外に出して出した部位を形成し、この出した部位に結び目を形成し、余分な部分を切り取り、ストラップ本体を引っ張って結び目を結び目入り孔に引き込んで新たな連結形態を実現するという、使用者自信の極めて簡単容易な手作業によって、切断予兆部の無いストラップ本体と携帯ストラップ用取付物品の連結形態とした携帯ストラップを再生できるという効果を奏する。
また、ストラップ本体を長尺（好ましくは２０ｃｍ以上、より好ましくは３０ｃｍ以上）のものにして、携帯ストラップ用取付物品をストラップ本体に取りつけないで添付形態で、あるいは、結び目止め孔および結び目入り孔にストラップ本体を通し該結び目入り孔から出した孔通し形態で提供し、使用者のストラップ本体の好みの長さとするための、身近な切断手段によるストラップ本体の切断と、その後の結び目の形成という使用者自信の極めて簡単容易な手作業によって、好みの長さのストラップ本体としたトラップを素早く作成できることを可能にするという効果を奏する。
また、ストラップ本体を切断して携帯ストラップ用取付物品を切り離し、携帯ストラップ用取付物品を保管するなどして、他の非ループの一本紐のストラップ本体に取り付けて、ストラップを形成できるという効果を奏する。
また、結び目入り孔が貫通孔であれば、従来のビーズ、数珠玉などの紐通し孔付飾り品と同様に、紐や鎖を結び目入り孔に通した携帯ストラップ用取付物品を多数個取付、ブレスレット、ネックレスなどの飾り部品として使用できるとともに、結び目入り孔から結び目止め孔に紐を通して多数個の携帯ストラップ用取付物品を通した形態でのブレスレット、ネックレスの飾り部品としてもしようでき、また、糸通し横穴付ボタン、ヘアーゴムリングのゴム通し横穴付飾りなどの飾り部品としても使用できる。というより、ビーズ、数珠玉、糸通し横穴付ボタン、ヘアーゴムリングのゴム通し横穴付飾りなどの飾り部品の糸通し孔、ゴム通し孔を結び目入り孔とし、該結び目入り孔に交差する方向から結び目止め孔を形成してなる結び目止め孔付き飾り（＝結び目止め孔付きの携帯ストラップ用取付物品）とできるものであり、しかして、ブレスレット、ネックレス、糸通し横穴付ボタン、ヘアーゴムリングとして購入したものから結び目止め孔付飾りを外し、その結び目止め孔にストラップ本体を通し結び目を形成することによって携帯ストラップ用取付物品付のストラップを簡単に製作できるという効果を奏する。

＜付記Ｂ６に記載の発明の効果＞
取付物品本体と、
この取付物品本体の紐通し孔付き携帯品に取り付けられた取付状態では看者から見て正面向きとなる正面部位と、
前記取付物品本体の前記正面部位の反対面に形成された前記紐通し孔付き携帯品に当接可能箇所である物品当接可能箇所と、
前記取付物品本体の前記正面部位と前記物品当接可能箇所との間に位置する非正面部位と、
この非正面部位から対向側非正面部位に向けてあけられた、通されたストラップ本体の結び目が入る開口孔径の結び目入り孔と、
この結び目入り孔を延長するようにあけられた、前記ストラップ本体を通しかつ前記結び目を通さない開口孔径の結び目止め孔と、
前記結び目止め孔から出た前記ストラップ本体を前記正面部位とは反対向きに折曲可能とするストラップ本体折曲開放部とからなることを特徴とする携帯ストラップ用取付物品である。
すなわち、結び目入り孔、結び目止め孔を通されたストラップ本体の結び目入り孔側の先端に結び目を作り、結び止め孔側ないしストラップ本体折曲開放部側からストラップ本体を引っ張って結び目を結び目入り孔に引き込む。結び目は結び目止め孔部位で止まり取り付けは完了する。
付記Ｂ５に記載の発明と同様な効果を奏する。

＜付記Ｂ７に記載の発明の効果＞
結び目入り孔が正面部位面に開口を有する溝形態であり、前記正面部位面が飾り部材に接着、融着、溶着、嵌合などによって接合する接合面であることを特徴とする付記Ｂ５、６のいずれか1項に記載の携帯ストラップ用取付物品であるので、飾り部材に接合されて付記Ｂ５、６のいずれか1項に記載の発明と同様な効果を奏するとともに、結び目入り孔が開口を正面部位面にした溝形態であるので、合成樹脂製部材の射出成形、プレス成形などの成型において、上型と下型のみの簡単な金型構成で形成できるという効果を奏する。
また、単なる側面全面塞ぎ形態（溝開口が無い塞ぎ形態）の孔のものより、取付物品本体の厚みを薄くできる。

＜付記Ｂ８に記載の発明の効果＞
紐通し孔付き携帯品の紐通し孔に折られ合わせ状態で通されて、通し出された側に潜らせループを形成する紐からなるストラップ本体と、
一方の結び目が入る開口孔径の一方の結び目入り孔と、この一方の結び目入り孔に交差方向から連絡された前記一方の結び目が通らない開口孔径の一方の結び目止め孔とを有し、前記ストラップ本体が前記一方の結び目止め孔から前記一方の結び目入り孔に通され出た部位で前記一方の結び目が形成された形態で、前記ストラップ本体の一方側に取り付けられたないし非取り付け状態で該ストラップ本体と一緒に提供された、前記潜らせループに潜らせて前記紐通し孔付き携帯品側に取り付け可能とされた第１の携帯ストラップ用取付物品と、
他方の結び目が入る開口孔径の他方の結び目入り孔、この他方の結び目入り孔に連絡された前記他方の結び目が通らない開口孔径の他方の結び目止め孔とを有し、前記ストラップ本体が通され前記他方の結び目が形成された形態で、前記ストラップ本体の他方側に取り付けられたないし非取り付け状態で該ストラップ本体と一緒に提供された第２の携帯ストラップ用取付物品とからなるとともに、
前記一方の結び目入り孔および前記一方の結び目止め孔に通されかつ前記一方の結び目で抜けないように、前記ストラップ本体の一方を前記第１の携帯ストラップ用取付物品に取り付けた状態で、前記ストラップ本体の一方を切断し、前記一方の結び目入り孔内にある前記一方の結び目を取り出し、前記ストラップ本体の前記切断した部位を記一方の結び目止め孔から前記一方の結び目入り孔に通し出して一方の出した部分を形成し、この一方の出した部分に前記一方の結び目を形成して、前記一方の結び目止め孔側の前記ストラップ本体を引いて前記一方の結び目を前記一方の結び目入り孔に引き込み入れて、前記第１の携帯ストラップ用取付物品を前記ストラップ本体に再取り付けができることを可能とし、
前記他方の結び目入り孔および前記他方の結び目止め孔に通されかつ前記他方の結び目で抜けないように、前記ストラップ本体の他方を前記第２の携帯ストラップ用取付物品に取り付けた状態で、前記ストラップ本体の他方を切断し、前記他方の結び目入り孔内にある前記他方の結び目を取り出し、前記ストラップ本体の前記切断した部位を記他方の結び目止め孔から前記他方の結び目入り孔に通し出して他方の出した部分を形成し、この他方の出した部分に前記他方の結び目を形成して、前記他方の結び目止め孔側の前記ストラップ本体を引いて前記他方の結び目を前記他方の結び目入り孔に引き込み入れて、前記第２の携帯ストラップ用取付物品を前記ストラップ本体に再取り付けができることを可能としてなることを特徴とする携帯ストラップである。

ストラップ本体（紐）の切断予兆部が生じたら、切断予兆部以来を切り離し、第１の携帯第１のストラップ用取付物品の結び目入り孔内に残っている結び目を、細棒を結び目入り孔に挿入して結び目を出しておいて、次に、結び目止め孔からストラップ本体の切断した部位側を挿入して結び目を入り孔から外に出して出した部位を形成し、この出した部位に結び目を形成し、余分な部分を切り落とし、ストラップ本体を引っ張って結び目を結び目入り孔に引き込んで新たな連結形態とし、切断予兆部の無いストラップ本体と第１の携帯ストラップ用取付物品の連結形態を再生できることを、身近な切断手段による切断と結び目を作るという使用者自信の極めて簡単容易な手作業により実現するという効果を奏する。
また、潜らせループを形成し締め付けいる部位を緩めストラップ本体を移動させることができるものであるので、ストラップ本体の一方の側に設けた第１の携帯ストラップ用取付物品の位置と、ストラップ本体の他方の側に設けた第２の携帯ストラップ用取付物品（例えばマスコット飾り）の位置とを調節して、すなわち、紐通し孔付き携帯品（例えば携帯電話）から、それぞれのストラップ本体の長さを好みの長さに調節して使用できるという効果を奏する。
しかして、例えばズボンのポケットに携帯電話を納めた携行態様では、ズボンのポケットの深さに対応させて、第２の携帯ストラップ用取付物品（例えばマスコット飾り）のポケットからの外への垂れ下がり位置を好みの位置や使用感のよい最適な位置にできる。
あるいは、腰ベルトに根付け態様で支持させるなど、携帯電話から第２の携帯ストラップ用取付物品までのストラップ本体の長さを調節することができる。
また、ショルダーバックに携帯電話を納め、第２の携帯ストラップ用取付物品（例えばマスコット飾り）を外に出し下げておく。それは、ショルダーバックの深さ、携帯電話の収納位置などに自在に対応させて、携帯電話から第２の携帯ストラップ用取付物品までのストラップ本体の長さを好みのものに、素早く容易に調節することができる。

＜付記Ｂ９に記載の発明の効果＞
携帯ストラップ用取付物品に替えて、ストラップ本体の一方に取り付けられる紐通し止め孔付き物品が設けられないし添付されてなるとともに、前記一方に取り付けられる紐通し止め孔付き物品および前記ストラップ本体の他方に取り付けられる紐通し止め孔付き物品のいずれもが潜らせループを潜らせることのできる形態である、前記一方に取り付けられる紐通し止め孔付き物品の形態および前記ストラップ本体の他方に取り付けられる紐通し止め孔付き物品の形態が前記潜らせループを同時に潜らせることができる形態である、あるいはいずれか一方が潜らせループを潜らせることのできる形態であることを特徴とする付記Ｂ７に記載の携帯ストラップである。

付記Ｂ８に記載の発明と同様な効果を奏するとともに、第２の携帯ストラップ用取付物品と第３の携帯ストラップ用取付物品という、他方の結び目が入る開口孔径の他方の結び目入り孔、この他方の結び目入り孔に連絡された前記他方の結び目が通らない開口孔径の他方の結び目止め孔とを有する、２つの携帯ストラップ用取付物品を下げることができ、その位置およびそれぞれのストラップ本体長さを好みの長さに調節して使用できることを、身近な切断手段による切断と結び目を作るという使用者自信の極めて簡単容易な手作業により実現するという効果を奏する。

＜付記Ｂ１０に記載の発明の効果＞
付記Ｂ５〜７のいずれか１項に記載の携帯ストラップ用取付物品と両端に何も取り付けていない単なるストラップ本体が分離形態で、あるいは、携帯ストラップ用取付物品が前記ストラップ本体の一方の側に取り付けられた取付形態で提供形態される特徴とする携帯ストラップであるので、付記Ｂ４、６のいずれか１項に記載の発明と同様な効果を奏するとともに、使用者がストラップ本体の長さを好みの長さにしたストラップ本体を鋏、爪切り、カッターなどで簡単に製作でき、かつ、他方の側に好みの飾り部材（例えば付記Ｂ４に記載の「紐通し止め孔付き物品」）を、孔に通し結び目を作るだけで簡単に取り付けて携帯ストラップを製作できるという効果を奏する。

＜付記Ｂ１１に記載の発明の効果＞
非ループ形態で使用する紐からなるストラップ本体と、このストラップ本体を結び形成した結び目を通す径の結び目入り孔、この結び目入り孔に該結び目入り孔とは異なる方向から連絡された前記結び目が通らない径の結び目止め孔とを備えてなる携帯ストラップ用取付物品とからなる携帯ストラップにおいて、
前記ストラップ本体に切断予兆部が生じたら、その切断予兆部の無い箇所で切り離し、前記結び目入り孔内に残っている前記結び目を取り出し、前記ストラップ本体を前記結び目止め孔から前記結び目入り孔に通し出して出した部分を形成し、その出した部分に新たな結び目を形成し、この新たな結び目を前記結び目入り孔内に引き込んで、前記ストラップ本体と前記携帯ストラップ用取付物品との新たな連結を可能とすることを特徴とする携帯ストラップの使用方法である。
すなわち、
ストラップ本体が切れる予兆が生じたら、不良箇所は切り捨て、結び目は取り出し、不良箇所を取り除いたストラップ本体を、結び目止め孔から結び目入り孔に通し出して出した部分を形成し、その出した部分に新たな結び目を形成し、この新たな結び目を前記結び目入り孔内に引き込んで、前記ストラップ本体と携帯ストラップ用取付物品との新たな連結を実現するということを、身近な切断手段による切断と結び目を作るという使用者自信の極めて簡単容易な手作業で実現するという効果を奏する。
【産業上の利用可能性】
【００７３】
本発明は、主に紐通し孔を有する携帯電話などの紐通し孔付き携帯品に取り付けるストラップを製造する産業で利用される。
【符号の説明】
【００７４】
Ｂ：紐通し取付け孔、
２：物品、
３：紐通し孔付き携帯品、
４：ストラップ本体、
５：ストラップ、
３９：他方の開口部、
４０：携帯ストラップ用取付物品、
４１：取付物品本体、
４２：開口形成段差面、
４３：一方の開口部、
４４：他方の開口部、
４５：紐通し孔、
４６：ストラップ本体折曲開放部底面部位、
４７：ストラップ本体折曲開放部、
４８：ストラップ止め突起、
４９：結び目入り孔、
５０：結び目止め孔、
５１：進入阻止段差部、
５２、５２ａ、５２ｂ：結び目、
５３：物品当接可能箇所、
５４：非正面部位、
５５：携帯ストラップ用取付物品、
５７：携帯ストラップ用取付物品、
５８：取付物品本体、
５９：開口形成段差面、
６０：ストラップ本体折曲開放部底面部位、
６１：ストラップ本体折曲開放部、
６３：紐通し溝、
６４：携帯ストラップ用取付物品、
６５：ストラップ本体出し開口、
６６：正面部位、
６７：取付物品本体、
６８：携帯ストラップ用取付物品、
７０：ストラップ本体折曲開放部、
７２：ストラップ本体折曲開放部、
７３：携帯ストラップ用取付物品、
７５：携帯ストラップ用取付物品、
７６：結び目止め孔、
７７：紐通し孔、
８５：携帯ストラップ用取付物品、
８６：取付物品本体、
８７：正面部位、
８８：物品当接可能箇所、
８９：非正面部位、
９０：結び目入り孔、
９１：結び目止め孔、
９３：結び目止め孔、
９４：結び目入り孔、
９５：携帯ストラップ用取付物品、
９６：取付物品本体、
９７：結び目止め孔、
９８：潜らせループ、
９９：一方の出した部位、
１００：ストラップ、
１１０：ストラップ、
１１１：ストラップ本体、
１１２：ストラップ、
１１４：携帯ストラップ用取付物品、
１１５：取付物品本体、
１１６：正面部位、
１１７：物品当接可能箇所、
１１８：非正面部位、
１１９：結び目入り孔、
１２０：結び目止め孔、
１２２：ロゴ、
１２３ａ、１２３ｂ：突出部、
１２４：ストラップ、
１２６：携帯ストラップ用取付物品、
１２７：取付物品本体、
１２８：正面部位、
１２９：物品当接可能箇所、
１３０：非正面部位、
１３１：結び目入り孔、
１３２：結び目止め孔、
１３４：リング、
１３５：紐通し孔付き携帯品、
１３７：携帯ストラップ用取付物品、
１３８：結び目入り孔、
１３９：物品当接可能箇所、
１４０：結び目止め孔、
１４１：取付物品本体、
１４２：盛り上がり部、
１４３ａ、１４３ｂ：非正面部位、
１４４：携帯ストラップ用取付物品、
１４５：取付物品本体、
１４６：盛り上がり部、
１４７：結び目入り孔、
１４８：物品当接可能箇所、
１４９：結び目止め孔、
１５０ａ、１５０ｂ：非正面部位、
１５１：携帯ストラップ用取付物品、
１５２：物品当接可能箇所、
１５３：取付物品本体、
１５４ａ、１５４ｂ：非正面部位、
１５５：結び目入り孔、
１５６：結び目止め孔、
１５７：携帯ストラップ用取付物品、
１５８：取付物品本体、
１５９：非正面部位、
１６０：結び目入り孔、
１６１：結び目止め孔、
１６２ａ、１６２ｂ：結び目入り孔開口、
１６３：正面部位、
１６４：結び目入り孔、
１６５：物品当接可能箇所、
１６６：携帯ストラップ用取付物品、
１６８：携帯ストラップ用取付物品、
１６９：取付物品本体、
１７０：飾り部材、
１７２：携帯ストラップ用取付物品、
１７３：取付物品本体、
１７４：物品当接可能箇所、
１７５：結び目止め孔、
１７６：携帯ストラップ用取付物品、
１７７：背面、
１７８：ストラップ本体折曲開放部。
１８０：携帯ストラップ用取付物品、
１８１：取付物品本体、
１８２：結び目止め孔、
１８４、１８４ａ〜１８４ｃ：携帯ストラップ用取付物品、
１８５：取付物品本体、
１８６：結び目入り孔、
１８７：紐通り孔、
１８８：結び目止め孔、
１８９：結び目止め体、
１９０：携帯ストラップ用取付物品、
１９１：取付物品本体、
１９２：結び目入り孔、
１９３：結び目止め孔、
１９５：携帯ストラップ用取付物品、
１９６：携帯ストラップ用取付物品、
１９７：取付物品本体、
１９９：携帯ストラップ用取付物品、
２００：取付物品本体、
２０１：紐吊り部、
２０２：携帯ストラップ用取付物品、
２０３：紐吊り部、
２０４：携帯ストラップ用取付物品、
２０５：取付物品本体、
２０６：紐吊り部、
２０８：携帯ストラップ用取付物品、
２０９：取付物品本体、
２１０：携帯ストラップ用取付物品、
２１１：取付物品本体、
２１３：携帯ストラップ、
２１５：携帯ストラップ、
２１６：携帯ストラップ、
２１７：ビーズ、
２１８：摩擦移動ストッパー、
２１９：携帯ストラップ、
２２０：携帯ストラップ、
２２１：携帯ストラップ、
２２２：携帯ストラップ、
２２３：リング、
２２４：重巻部位、
２２５：携帯ストラップ、
２２６：飾り、
２２７：ヒートン、
２２８：携帯ストラップ、
２２９：携帯ストラップ、
２３０：携帯品取付物品、
２３１：取付物品本体、
２３２：結び目入り孔、
２３３ａ、２３３ｂ：結び目止め孔、
２３４：取付物品本体、
２３５：結び目止め孔、
２３６：携帯品取付物品。
【図２１】
0005859789.tif 000002
【図２２】
0005859789.tif 000003
【図２３】
0005859789.tif 000004
【図２４】
0005859789.tif 000005
【図２５】
0005859789.tif 000006
【図２６】
0005859789.tif 000007
【図２７】
0005859789.tif 000008
【図２８】
0005859789.tif 000009
【図２９】
0005859789.tif 000010
【図３０】
0005859789.tif 000011
【図３１】
0005859789.tif 000012
【図３２】
0005859789.tif 000013
【図３３】
0005859789.tif 000014
【図３４】
0005859789.tif 000015
【図３５】
0005859789.tif 000016
【図３６】
0005859789.tif 000017
【図３７】
0005859789.tif 000018
【図３８】
0005859789.tif 000019
【図３９】
0005859789.tif 000020
【図１】
0005859789.tif 000021
【図２】
0005859789.tif 000022
【図３】
0005859789.tif 000023
【図４】
0005859789.tif 000024
【図５】
0005859789.tif 000025
【図６】
0005859789.tif 000026
【図７】
0005859789.tif 000027
【図８】
0005859789.tif 000028
【図９】
0005859789.tif 000029
【図１０】
0005859789.tif 000030
【図１１】
0005859789.tif 000031
【図１２】
0005859789.tif 000032
【図１３】
0005859789.tif 000033
【図１４】
0005859789.tif 000034
【図１５】
0005859789.tif 000035
【図１６】
0005859789.tif 000036
【図１７】
0005859789.tif 000037
【図１８】
0005859789.tif 000038
【図１９】
0005859789.tif 000039
【図２０】
0005859789.tif 000040